(57)【要約】【課題】ユーザ注文に合わせた電子機器の製造システムで、機器本体に表記すべき文字や記号などを容易にユーザ個々人の発注内容に応じた色にして製造する。【解決手段】電子機器４０におけるキー入力ケース部４１の名入れエリア▲１▼〜▲４▼は、それぞれエリア▲１▼が金色、エリア▲２▼が銀色、エリア▲３▼が赤色、エリア▲４▼が青色にレーザマーキングによって発色する樹脂で構成され、製造サーバへのアクセスに応じて所望の色に発色する名入れエリア▲１▼（金），▲３▼（赤）を選択するのと共に、所望の名入れデータ「＊＊＊＊ｕｎｉｖｅｒｓｉｔｙ」「Ｈａｎａｋｏ．Ｙａｎｏ」を入力しておくことで、当該キー入力パネル４４上の名入れエリア▲１▼，▲３▼の位置に対応付けた印刷データ「＊＊＊＊ｕｎｉｖｅｒｓｉｔｙ」「Ｈａｎａｋｏ．Ｙａｎｏ」が生成され、機器製造工程におけるレーザマーキングによって多色印刷されるので、電子辞典４０の本体表面に印刷する文字やその印刷色までも、個々のユーザの希望通りに容易に製造できる。【選択図】    図１
2004355463.tif 000002
【特許請求の範囲】
【請求項１】
印刷によって異なる色に発色する複数の発色エリアを有した電子機器の製造システムであって、
前記電子機器の複数の発色エリアそれぞれの位置情報を当該発色の色情報に対応付けて記憶する位置記憶手段と、
印刷すべき色情報と印刷データを取得する印刷情報取得手段と、
この印刷情報取得手段により取得された色情報に対応付けられて前記位置記憶手段により記憶された位置情報に従い当該位置情報が示す電子機器の発色エリアに対し前記印刷データを印刷させる印刷制御手段と、
を備えたことを特徴とする電子機器の製造システム。
【請求項２】
前記印刷情報取得手段は、ユーザ端末から印刷すべき色情報と印刷データを受信する受信手段を有することを特徴とする請求項１に記載の電子機器の製造システム。
【請求項３】
前記電子機器の複数の発色エリアはレーザによってそれぞれ異なる色に発色する発色部材によって構成され、
前記印刷制御手段は、前記印刷情報取得手段により取得された色情報に対応付けられて前記位置記憶手段により記憶された位置情報に従い当該位置情報が示す電子機器の発色エリアの発色部材に対して前記印刷データをレーザ印刷するレーザ印刷手段を有することを特徴とする請求項１または請求項２に記載の電子機器の製造システム。
【請求項４】
前記異なる色に発色する複数の発色エリアは、色毎に分かれた領域の発色エリアであることを特徴とする請求項１乃至請求項３の何れか１項に記載の電子機器の製造システム。
【請求項５】
前記異なる色に発色する複数の発色エリアは、異なる色の発色部材をライン状に交互に並列配置して構成され、
前記印刷制御手段は、前記印刷情報取得手段により取得された色情報に対応付けられて前記位置記憶手段により記憶された位置情報に従い当該位置情報が示す電子機器の発色エリアの該当色の発色ラインを選択して前記印刷データを印刷させることを特徴とする請求項１乃至請求項３の何れか１項に記載の電子機器の製造システム。
【請求項６】
前記異なる色に発色する複数の発色エリアは、３原色の発色部材を格子状にドット配置して構成され、
前記印刷制御手段は、前記印刷情報取得手段により取得された色情報に対応付けられて前記位置記憶手段により記憶された位置情報に従い当該位置情報が示す電子機器の発色エリアの該当色に応じた組み合わせの発色ドットを選択して前記印刷データをカラー印刷させることを特徴とする請求項１乃至請求項３の何れか１項に記載の電子機器の製造システム。
【請求項７】
印刷によって異なる色に発色する複数の発色エリアを有した電子機器の製造システムであって、
前記電子機器の複数の発色エリアそれぞれの位置情報を印刷データの種類に対応付けて記憶する位置記憶手段と、
印刷すべき印刷データを取得する印刷データ取得手段と、
この印刷データ取得手段により取得された印刷データを、当該印刷データの種類に対応付けられて前記位置記憶手段により記憶された位置情報に従い当該位置情報が示す電子機器の発色エリアに対し印刷させる印刷制御手段と、
を備えたことを特徴とする電子機器の製造システム。
【請求項８】
印刷によって異なる色に発色する複数の発色エリアを有した電子機器の製造システムであって、
前記電子機器の複数の発色エリアそれぞれの位置情報を当該電子機器の各キー情報および印刷データの種類に対応付けて記憶する位置記憶手段と、
印刷すべき印刷データと共に前記電子機器のキー情報を取得する印刷データ取得手段と、
この印刷データ取得手段により取得された印刷データを、同取得されたキー情報および印刷データの種類に対応付けられて前記位置記憶手段により記憶された位置情報に従い当該位置情報が示す電子機器の発色エリアに対し印刷させる印刷制御手段と、
を備えたことを特徴とする電子機器の製造システム。
【請求項９】
前記印刷データ取得手段は、その取得すべき内容をユーザ端末から受信する受信手段であることを特徴とする請求項７または請求項８に記載の電子機器の製造システム。
【請求項１０】
前記電子機器の複数の発色エリアはレーザによってそれぞれ異なる色に発色する発色部材によって構成され、
前記印刷制御手段は、前記位置記憶手段により記憶された位置情報に従い当該位置情報が示す電子機器の発色エリアの発色部材に対してレーザ印刷するレーザ印刷手段を有することを特徴とする請求項７乃至請求項９の何れか１項に記載の電子機器の製造システム。
【請求項１１】
前記印刷データの種類は、当該印刷データが機能を示す印刷データか文字の印刷データかの種類であり、
前記発色エリアは、その左エリアが機能用の色で発色する発色部材によって構成され、右エリアが文字用の色で発色する発色部材によって構成されることを特徴とする請求項１０に記載の電子機器の製造システム。
【請求項１２】
前記電子機器の複数の発色エリアそれぞれの位置情報は当該電子機器の各キー位置に対応し、
前記印刷データ取得手段により取得された印刷データに応じた処理をその印刷位置に対応したキーに基づき行わせるためのプログラムを、前記電子機器の内蔵ＲＯＭへ書き込ませるＲＯＭ書き込み制御手段をさらに備えたことを特徴とする請求項７乃至請求項１１の何れか１項に記載の電子機器の製造システム。
【請求項１３】
前記電子機器の発色エリアは、その周辺にさらに別の色で発色する周辺発色エリアを有し、
前記印刷制御手段は、前記印刷データ取得手段により取得された印刷データに修飾情報が含まれている場合に、当該印刷データを前記位置記憶手段により記憶された位置情報に従い当該位置情報が示す電子機器の発色エリアおよびその周辺発色エリアに対し印刷させる、
ことを特徴とする請求項７乃至請求項１２の何れか１項に記載の電子機器の製造システム。
【請求項１４】
前記印刷データに含まれる修飾情報は、当該印刷データに対する下線または囲み枠の修飾情報であることを特徴とする請求項１３に記載の電子機器の製造システム。
【請求項１５】
前記周辺発色エリアは、異なる色の発色部材をライン状に並列配置して構成され、
前記印刷制御手段により、前記修飾情報が含まれている印刷データを前記位置記憶手段により記憶された位置情報に従い当該位置情報が示す電子機器の発色エリアおよびその周辺発色エリアに対し印刷させる際は、当該周辺発色エリアの発色ラインを選択して印刷させることを特徴とする請求項１３または請求項１４に記載の電子機器の製造システム。
【請求項１６】
さらに、
ユーザ端末から送り先を受信する送り先受信手段と、
この送り先受信手段により受信された送り先に従って、前記電子機器の製造後の送り先を指示する送り先指示手段と、
を備えたことを特徴とする請求項１乃至請求項１５の何れか１項に記載の電子機器の製造システム。
【請求項１７】
電子機器製造システムのコンピュータを制御するための製造処理プログラムであって、
前記コンピュータを、
印刷によって異なる色に発色する複数の発色エリアを有した電子機器の当該複数の発色エリアそれぞれの位置情報をその発色の色情報に対応付けて記憶する位置記憶手段、
印刷すべき色情報と印刷データを取得する印刷情報取得手段、
この印刷情報取得手段により取得された色情報に対応付けられて前記位置記憶手段により記憶された位置情報に従い当該位置情報が示す電子機器の発色エリアに対し前記印刷データを印刷させる印刷制御手段、
として機能させるようにしたコンピュータ読み込み可能な電子機器の製造処理プログラム。
【請求項１８】
印刷によって異なる色に発色する複数の発色エリアを有した電子機器の当該複数の発色エリアそれぞれの位置情報をその発色の色情報に対応付けて記憶する位置記憶ステップと、
印刷すべき色情報と印刷データを取得する印刷情報取得ステップと、
この印刷情報取得ステップにて取得された色情報に対応付けられて前記位置記憶ステップにて記憶された位置情報に従い当該位置情報が示す電子機器の発色エリアに対し前記印刷データを印刷させる印刷制御ステップと、
からなることを特徴とする電子機器の製造処理方法。
【請求項１９】
電子機器製造システムのコンピュータを制御するための製造処理プログラムであって、
前記コンピュータを、
印刷によって異なる色に発色する複数の発色エリアを有した電子機器の当該複数の発色エリアそれぞれの位置情報を印刷データの種類に対応付けて記憶する位置記憶手段、
印刷すべき印刷データを取得する印刷データ取得手段、
この印刷データ取得手段により取得された印刷データを、当該印刷データの種類に対応付けられて前記位置記憶手段により記憶された位置情報に従い当該位置情報が示す電子機器の発色エリアに対し印刷させる印刷制御手段、
として機能させるようにしたコンピュータ読み込み可能な電子機器の製造処理プログラム。
【請求項２０】
印刷によって異なる色に発色する複数の発色エリアを有した電子機器の当該複数の発色エリアそれぞれの位置情報を印刷データの種類に対応付けて記憶する位置記憶ステップと、
印刷すべき印刷データを取得する印刷データ取得ステップと、
この印刷データ取得ステップにて取得された印刷データを、当該印刷データの種類に対応付けられて前記位置記憶ステップにて記憶された位置情報に従い当該位置情報が示す電子機器の発色エリアに対し印刷させる印刷制御ステップと、
からなることを特徴とする電子機器の製造処理方法。
【発明の詳細な説明】
【０００１】
【発明の属する技術分野】
本発明は、ユーザからの注文に合わせた内容の電子辞典などを生産するための電子機器の製造システム、製造処理プログラム、製造処理方法に関する。
【０００２】
【従来の技術】
例えば、電子辞典には様々な種類のものがあり、その殆どは内蔵された辞典（辞書）の内容や数量、そして装置本体の大きさや表示画面の大きさなどにより仕様が異なり、それぞれ別モデルとして販売されている。
【０００３】
そして、ユーザは、電子辞典の各モデルの仕様を店頭やカタログあるいはインターネットＨＰなどで確認することにより、自分に合ったモデルを探し出して購入している。なお、同一モデルでも、本体色に複数の色が用意されている場合は、この本体色もユーザの好みで選ばれる。
【０００４】
一方、このような電子辞典ではなく紙の手帳を対象として、インターネットＨＰから手帳の仕様をユーザが任意に設定し、そのユーザ任意の手帳仕様データを手帳製造者の端末装置へ出力することで、ユーザが希望した仕様に従い手帳を製造するための、手帳製造システムが提案されている（例えば、特許文献１参照）。
【０００５】
【特許文献１】
特開２００２−９９７８７号公報
【０００６】
【発明が解決しようとする課題】
したがって、従来の電子辞典において収録されている辞典（辞書）の内容はそのモデル毎に固定化されており、ユーザは個々人で任意の辞典を組み合わせて収録したモデルを、しかも希望の本体色で購入することができない。
【０００７】
そこで、前記従来の紙の手帳の手帳製造システムを電子辞典の製造システムに応用することで、インターネットＨＰからユーザの発注内容を製造側の端末装置へ伝え、これに合わせてユーザ個々の希望に合わせた辞書収録内容の部品を組み合わせてカスタムオーダの電子辞典を製造し販売することが考えられるものの、製造に関わる人的労力が多大で極めて煩雑となり、特に量産品としての実現は困難である。
【０００８】
仮に、例えばユーザ個々の発注内容を製造側の端末装置に伝え、製造ライン上に連続して多数用意された電子辞典のベースモデルのそれぞれに対して、極めて煩雑な作業でありながらも各ユーザのモデルを特定しながら且つ各個人ユーザの発注内容に応じたデータの組み込み・本体色ケースの選択などを行っていったとしても、キーボード上の文字色や記号色など、本体各部の部分的な色までもカスタムオーダに対応することはできない。
【０００９】
本発明は、前記のような問題に鑑みてなされたもので、機器本体に表記すべき文字や記号などを容易にユーザ個々人の発注内容に応じた色にして製造することが可能になる電子機器の製造システム、製造処理プログラム、製造処理方法を提供することを目的とする。
【００１０】
【課題を解決するための手段】
本発明の請求項１に係る電子機器の製造システムでは、印刷によって異なる色に発色する複数の発色エリアを有した電子機器の当該複数の発色エリアそれぞれの位置情報を当該発色の色情報に対応付けて位置記憶手段によって記憶し、印刷すべき色情報と印刷データを印刷情報取得手段によって取得する。すると、この印刷情報取得手段により取得された色情報に対応付けられて前記位置記憶手段により記憶された位置情報に従い当該位置情報が示す電子機器の発色エリアに対し印刷制御手段によって前記印刷データが印刷させられる。
【００１１】
これによれば、例えばユーザにより指定された色情報と入力された印刷データを取得するだけで、ユーザ指定の色でユーザ所望の印刷データを印刷した電子機器を製造できることになる。
【００１２】
本発明の請求項２に係る電子機器の製造システムでは、前記請求項１に係る電子機器の製造システムにあって、前記印刷情報取得手段は、ユーザ端末から印刷すべき色情報と印刷データを受信する受信手段を有してなる。
【００１３】
これによれば、例えばインターネットなどの通信ネットワークを介して、ユーザ入力された印刷データをユーザ指定の色で印刷した電子機器を容易に製造できることになる。
【００１４】
本発明の請求項３に係る電子機器の製造システムでは、前記請求項１または請求項２に係る電子機器の製造システムにあって、前記電子機器の複数の発色エリアはレーザによってそれぞれ異なる色に発色する発色部材によって構成され、前記印刷制御手段は、前記印刷情報取得手段により取得された色情報に対応付けられて前記位置記憶手段により記憶された位置情報に従い当該位置情報が示す電子機器の発色エリアの発色部材に対して前記印刷データをレーザ印刷するレーザ印刷手段を有してなる。
【００１５】
これによれば、例えばユーザ指定の色情報に対応付けられた位置情報が示す発色部材の発色エリアに対し、例えばユーザ入力された印刷データをレーザ印刷するだけで、簡単にユーザ所望の色の印刷データを付加した電子機器を製造できることになる。
【００１６】
本発明の請求項４に係る電子機器の製造システムでは、前記請求項１乃至請求項３の何れか１項に係る電子機器の製造システムにあって、前記異なる色に発色する複数の発色エリアは、色毎に分かれた領域の発色エリアとされる。
【００１７】
これによれば、電子機器上に複数の領域に分かれて配置されたそれぞれ異なる色に発色する発色エリアを対象に、その何れかの発色エリアが例えばユーザ指定の色に応じて位置決めされて発色印刷されることになり、ユーザ指定の色でユーザ所望の印刷データを印刷した電子機器を容易に製造できることになる。
【００１８】
本発明の請求項５に係る電子機器の製造システムでは、前記請求項１乃至請求項３の何れか１項に係る電子機器の製造システムにあって、前記異なる色に発色する複数の発色エリアは、異なる色の発色部材をライン状に交互に並列配置して構成され、前記印刷制御手段は、前記印刷情報取得手段により取得された色情報に対応付けられて前記位置記憶手段により記憶された位置情報に従い当該位置情報が示す電子機器の発色エリアの該当色の発色ラインを選択して前記印刷データを印刷させる。
【００１９】
これによれば、電子機器上にライン状に交互に並列配置されたそれぞれ異なる色の発色ラインを選択対象として、その何れかの発色ラインが例えばユーザ指定の色に応じて選択され発色印刷されることになり、ユーザ指定の色でユーザ所望の印刷データを印刷した電子機器を容易に製造できることになる。
【００２０】
本発明の請求項６に係る電子機器の製造システムでは、前記請求項１乃至請求項３の何れか１項に係る電子機器の製造システムにあって、前記異なる色に発色する複数の発色エリアは、３原色の発色部材を格子状にドット配置して構成され、前記印刷制御手段は、前記印刷情報取得手段により取得された色情報に対応付けられて前記位置記憶手段により記憶された位置情報に従い当該位置情報が示す電子機器の発色エリアの該当色に応じた組み合わせの発色ドットを選択して前記印刷データをカラー印刷させる。
【００２１】
これによれば、電子機器上に格子状にドット配置された３原色の発色ドットを選択対象として、その各発色ドットが例えばユーザ指定の色に応じた組み合わせで選択されカラー印刷されることになり、ユーザ指定の色でユーザ所望のカラー印刷データを印刷した電子機器を容易に製造できることになる。
【００２２】
本発明の請求項７に係る電子機器の製造システムでは、印刷によって異なる色に発色する複数の発色エリアを有した電子機器の当該複数の発色エリアそれぞれの位置情報を印刷データの種類に対応付けて位置記憶手段によって記憶し、印刷すべき印刷データを印刷データ取得手段によって取得する。すると、この印刷データ取得手段により取得された印刷データが、当該印刷データの種類に対応付けられて前記位置記憶手段により記憶された位置情報に従い当該位置情報が示す電子機器の発色エリアに対し印刷制御手段によって印刷させられる。
【００２３】
これによれば、印刷データを取得するだけで、当該印刷データの種類に応じた色の発色エリアが位置決めされ、当該印刷データをこれに応じた色で印刷した電子機器を製造できることになる。
【００２４】
本発明の請求項８に係る電子機器の製造システムでは、印刷によって異なる色に発色する複数の発色エリアを有した電子機器の当該複数の発色エリアそれぞれの位置情報を当該電子機器の各キー情報および印刷データの種類に対応付けて位置記憶手段によって記憶し、印刷すべき印刷データと共に前記電子機器のキー情報を印刷データ取得手段によって取得する。すると、この印刷データ取得手段により取得された印刷データが、同取得されたキー情報および印刷データの種類に対応付けられて前記位置記憶手段により記憶された位置情報に従い当該位置情報が示す電子機器の発色エリアに対し印刷制御手段によって印刷させられる。
【００２５】
これによれば、印刷データと共に電子機器のキー情報を取得するだけで、当該キー情報および印刷データの種類に応じた色の発色エリアが位置決めされ、当該印刷データをこれに応じたキー位置で且つこれに応じた色で印刷した電子機器を製造できることになる。
【００２６】
本発明の請求項９に係る電子機器の製造システムでは、前記請求項７または請求項８に係る電子機器の製造システムにあって、前記印刷データ取得手段は、その取得すべき内容をユーザ端末から受信する受信手段とされる。
【００２７】
これによれば、例えばインターネットなどの通信ネットワークを介して、ユーザ端末から取得された印刷データをこれに応じた色（およびキー位置）で印刷した電子機器を容易に製造できることになる。
【００２８】
本発明の請求項１０に係る電子機器の製造システムでは、前記請求項７乃至請求項９の何れか１項に係る電子機器の製造システムにあって、前記電子機器の複数の発色エリアはレーザによってそれぞれ異なる色に発色する発色部材によって構成され、前記印刷制御手段は、前記位置記憶手段により記憶された位置情報に従い当該位置情報が示す電子機器の発色エリアの発色部材に対してレーザ印刷するレーザ印刷手段を有してなる。
【００２９】
これによれば、印刷データの種類（およびキー情報）に対応付けられた位置情報が示す発色部材の発色エリアが位置決めされ、当該印刷データをレーザ印刷するだけで、これに応じた色（およびキー位置）で印刷データを印刷した電子機器を容易に製造できることになる。
【００３０】
本発明の請求項１１に係る電子機器の製造システムでは、前記請求項１０に係る電子機器の製造システムにあって、前記印刷データの種類は、当該印刷データが機能を示す印刷データか文字の印刷データかの種類であり、前記発色エリアは、その左エリアが機能用の色で発色する発色部材によって構成され、右エリアが文字用の色で発色する発色部材によって構成される。
【００３１】
これによれば、印刷データの種類が機能を示す印刷データである場合には位置決めされた発色エリアの左エリアに機能表記用の色で印刷でき、文字である場合には同位置決めされた発色エリアの右エリアに文字表記用の色で印刷できることになり、例えばキー入力対象の表記内容によって色別表記した電子機器を容易に製造できることになる。
【００３２】
本発明の請求項１２に係る電子機器の製造システムでは、前記請求項７乃至請求項１１の何れか１項に記載の電子機器の製造システムにあって、前記電子機器の複数の発色エリアそれぞれの位置情報は当該電子機器の各キー位置に対応したものとし、前記印刷データ取得手段により取得された印刷データに応じた処理をその印刷位置に対応したキーに基づき行わせるためのプログラムを、前記電子機器の内蔵ＲＯＭへ書き込ませるＲＯＭ書き込み制御手段をさらに備える。
【００３３】
これによれば、印刷データをその種類に応じたキー位置の発色エリアに印刷させ、しかも当該キー操作によって当該印刷データに応じた処理を行うプログラムをＲＯＭに書き込むので、例えばユーザ選択したキー配列で動作する電子機器を容易に製造できることになる。
【００３４】
本発明の請求項１３に係る電子機器の製造システムでは、前記請求項７乃至請求項１２の何れか１項に係る電子機器の製造システムにあって、前記電子機器の発色エリアは、その周辺にさらに別の色で発色する周辺発色エリアを有し、前記印刷制御手段は、前記印刷データ取得手段により取得された印刷データに修飾情報が含まれている場合に、当該印刷データを前記位置記憶手段により記憶された位置情報に従い当該位置情報が示す電子機器の発色エリアおよびその周辺発色エリアに対し印刷させる。
【００３５】
これによれば、印刷データに応じて位置決めされた発色エリアに対し、当該印刷データをこれに応じた色で印刷できるだけでなく、周辺発色エリアによって異なる色で前記印刷データを修飾印刷した電子機器を容易に製造できることになる。
【００３６】
本発明の請求項１４に係る電子機器の製造システムでは、前記請求項１３に係る電子機器の製造システムにあって、前記印刷データに含まれる修飾情報は、当該印刷データに対する下線または囲み枠の修飾情報とされる。
【００３７】
これによれば、印刷データに応じて位置決めされた発色エリアに対し、当該印刷データをこれに応じた色で印刷できるだけでなく、周辺発色エリアによって異なる色で前記印刷データを下線または囲み枠で修飾印刷した電子機器を容易に製造できることになる。
【００３８】
本発明の請求項１５に係る電子機器の製造システムでは、前記請求項１３または請求項１４に係る電子機器の製造システムにあって、前記周辺発色エリアは、異なる色の発色部材をライン状に並列配置して構成され、前記印刷制御手段により、前記修飾情報が含まれている印刷データを前記位置記憶手段により記憶された位置情報に従い当該位置情報が示す電子機器の発色エリアおよびその周辺発色エリアに対し印刷させる際は、当該周辺発色エリアの発色ラインを選択して印刷させる。
【００３９】
これによれば、印刷データをこれに応じた発色エリアの色で印刷できるだけでなく、周辺発色エリアの異なる色の発色ラインを選択して該印刷データを修飾印刷した電子機器を容易に製造できることになる。
【００４０】
本発明の請求項１６に係る電子機器の製造システムでは、前記請求項１乃至請求項１５の何れか１項に係る電子機器の製造システムにあって、さらに、送り先受信手段によってユーザ端末から送り先を受信し、この受信された送り先に従って前記電子機器の製造後の送り先を送り先指示手段で指示する。
【００４１】
これによれば、例えばユーザの希望に応じて印刷データを多色印刷した電子機器を容易に製造できるだけでなく、製造後の電子機器の確実な顧客発送までも実施できることになる。
【００４２】
【発明の実施の形態】
以下、図面を参照して本発明の実施の形態について説明する。
【００４３】
図１は本発明の電子機器の製造システムの実施形態に係る製造サーバ１０に基づいた電子辞典受注生産システムの全体の構成を示す図である。
【００４４】
この電子辞典受注生産システムは、通信ネットワーク（インターネット）Ｎを介して相互に通信可能に接続された、例えば電子辞典メーカファクトリＦＡのサーバ１０、ユーザ端末（ＰＣ）２０…を備えて構成される。
【００４５】
電子辞典メーカファクトリＦＡには、サーバ１０あるいは別体にしたファクトリオートメーション端末（図示せず）により制御される一連の製造工程３０Ｌ（３０Ｌ１〜３０Ｌ３）が設置され、この製造工程３０Ｌによりユーザ個々人からの受注内容に合わせた電子辞典４０Ａ，４０Ｂ，４０Ｃ，…が製造されて配送される。
【００４６】
この電子辞典メーカファクトリＦＡでは、ユーザにより選択されるベースモデルの電子辞典４０として、名刺サイズモデル、大画面音声なしモデル、大画面音声付きモデルの３種類の電子辞典４０が用意される。ユーザはこの３種類のベースモデルの何れかを選択して希望の電子辞典を発注する。
【００４７】
第１製造工程（キーボードレーザ印刷工程）３０Ｌ１は、ユーザ選択されたベースモデルの電子辞典４０に対して、該当ユーザにより選択された辞典名，各種機能，特殊文字などを含むキー配列に応じてキーボード上に多色でレーザ印刷を施す工程であり、この第１製造工程３０Ｌ１により多色でのレーザケース印刷／レーザキー印刷の実施された電子辞典４０は、第２製造工程（ＲＯＭ書き込み工程）３０Ｌ２に送られる。
【００４８】
第２製造工程（ＲＯＭ書き込み工程）３０Ｌ２は、キーボード印刷の実施されたベースモデル電子辞典４０の本体ＲＯＭに対して、ユーザ選択された各辞典名に応じた各辞典データ、ユーザ選択された各辞典名，各種機能，特殊文字などを含むキー配列に応じたキー入力処理データなどを書き込む工程であり、この第２製造工程３０Ｌ２によりＲＯＭ書き込みの実施された電子辞典４０は、第３製造工程（発送工程）３０Ｌ３に送られる。
【００４９】
第３製造工程（発送工程）３０Ｌ３は、ＲＯＭ書き込みの実施された電子辞典４０に対して、ユーザＩＤに応じた送り状が作成添付されて出荷指示される。
【００５０】
図２は前記電子機器の製造サーバ１０に基づいて受注生産されるキーボードレーザ印刷前のベースモデル電子辞典４０の外観構成を示す正面図である。
【００５１】
図３は前記電子機器の製造サーバ１０に基づいて受注生産されるキーボードレーザ印刷後のベースモデル電子辞典４０の外観構成を示す正面図である。
【００５２】
電子辞典４０は、キー入力ケース部４１と表示画面ケース部４２とがヒンジ部４３を介して開閉可能に構成され、キー入力ケース部４１には、各種のキーを配列したキー入力パネル４４が設けられ、表示画面ケース部４２には液晶表示画面４５が設けられる。また、大画面音声付き電子辞典４０には、音声出力部４６が設けられる。
【００５３】
ベースモデル電子辞典４０のキー入力パネル４４には、電源キー［ＯＮ／ＯＦＦ］をはじめ、文字・記号入力キー群４４ａ、検索内容切替指定キー群４４ｂ、選択／決定機能キー群４４ｃが設けられ、それぞれそのキートップ（表面）には、直接のキー操作内容となる文字や記号，機能の内容が固定的に印刷され、またキー上のケース面には、「機能／ｃｏｄｅ」キー４４ｓとの同時操作に応じたキー操作内容となる文字，記号，機能の内容（「英単語ジャンプ」「＝ガイド」など）が一部固定的に印刷される。
【００５４】
さらに、ベースモデル電子辞典４０のキー入力パネル４４には、検索対象とする辞典を指定するための検索辞典指定キー４４▲１▼〜４４▲６▼が設けられる。この検索辞典指定キー４４▲１▼〜４４▲６▼により指定される辞典の内容は、当該辞典製造の受注に際しユーザにより選択設定される辞典の内容およびそのキー配列に応じて決定される。
【００５５】
従って、この検索辞典指定キー４４▲１▼〜４４▲６▼において、直接のキー操作に応じた辞典の内容を示す各キートップエリア▲１▼ａ〜▲６▼ａおよび「機能／ｃｏｄｅ」キー４４ｓとの同時操作に応じた辞典の内容を示す各キー上のケース面エリア▲１▼ｂ〜▲６▼ｂは、何れもユーザ受注製造以前のベースモデル段階では空白となっており、受注後の製造段階（第１製造工程（キーボードレーザ印刷工程）３０Ｌ１）において前記ユーザにより選択設定された辞典の内容およびそのキー配列に応じた辞典名がレーザマーキングにより印刷される。
【００５６】
また、前記キー入力パネル４４の文字・記号入力キー群４４ａにおいて、「機能／ｃｏｄｅ」キー４４ｓとの同時操作に応じた入力の内容を示す各キー上のケース面エリア（第１列）Ｌ１−１Ｒ，Ｌ１−１Ｂ，〜，Ｌ１−１０Ｒ，Ｌ１−１０Ｂ、（第２列）Ｌ２−１Ｒ，Ｌ２−１Ｂ，〜，Ｌ２−９Ｒ，Ｌ２−９Ｂ、（第３列）Ｌ３−１Ｒ，Ｌ３−１Ｂ，〜，Ｌ３−１０Ｒ，Ｌ３−１０Ｂについても、何れもユーザ受注製造以前のベースモデル段階では空白となっており、受注後の製造段階（第１製造工程（キーボードレーザ印刷工程）３０Ｌ１）において前記ユーザにより選択設定された辞典の内容，機能，特殊文字およびそのキー配列に応じた辞典名，機能名，文字パターンがレーザマーキングにより印刷される。
【００５７】
なお、前記キー入力パネル４４の各ケース面エリア▲１▼ｂ〜▲６▼ｂ、およびＬ１−１Ｒ，Ｌ１−１Ｂ，〜，Ｌ３−１０Ｒ，Ｌ３−１０Ｂは、その何れのエリアの本体ケースもレーザ印刷に応じて発色する樹脂で構成されており、例えば各検索辞典指定キー４４▲１▼〜４４▲６▼に対応させた各ケース面エリア▲１▼ｂ〜▲６▼ｂ、および各文字・記号入力キー４４ａ…に対応させた各左上のケース面エリアＬ１−１Ｒ，〜，Ｌ３−１０Ｒは、レーザ印刷に応じて赤色に発色する樹脂で構成される。また、各文字・記号入力キー４４ａ…に対応させた各右上のケース面エリアＬ１−１Ｂ，〜，Ｌ３−１０Ｂは、レーザ印刷に応じて青色に発色する樹脂で構成される。
【００５８】
さらに、前記検索辞典指定キー４４▲１▼，４４▲２▼，４４▲４▼，４４▲５▼に対応させた各ケース面エリア▲１▼ｂ，▲２▼ｂ，▲４▼ｂ，▲５▼ｂに渡って連続する１本の下線エリアＬ０−Ｙ、および前記各文字・記号入力キー４４ａ…に対応させた各ケース面エリアＬ１−１Ｒ，Ｌ１−１Ｂ，〜，Ｌ３−１０Ｒ，Ｌ３−１０Ｂに渡って連続する３本の下線エリアＬ１−Ｙ〜Ｌ３−Ｙは、何れもレーザ印刷に応じて黄色に発色する樹脂で構成される。
【００５９】
さらに、前記各検索辞典指定キー４４▲１▼〜４４▲６▼それぞれの各キートップの囲み枠エリア▲１▼ａＲ〜▲６▼ａＲは、レーザ印刷に応じて赤色に発色する樹脂で構成される。
【００６０】
また、キー入力パネル４４の最上段に設定したユーザ名を示すための名入れケース面エリア▲１▼〜▲４▼についても、ユーザ受注製造以前のベースモデル段階では空白となっており、受注後の製造段階（第１製造工程（キーボードレーザ印刷工程）３０Ｌ１）においてユーザにより入力された名前の文字パターンがレーザマーキングにより印刷される。この名入れケース面エリア▲１▼，▲２▼，▲３▼，▲４▼は、それぞれレーザ印刷に応じて金色，銀色，赤色，青色に発色する樹脂で構成される。
【００６１】
本実施形態では、６つの検索辞典指定キー４４▲１▼〜４４▲６▼のうち５つのキーが辞典名の直接指定キーとされ、残り１つのキーが「メニュー」キーとされるもので、この「メニュー」キーを操作することで前記直接指定キーでは示されない他の各辞典名がユーザ設定された順番でリスト表示され選択指定可能になる。
【００６２】
すなわち、ユーザ端末（ＰＣ）２０からサーバ１０へのアクセスにより提供される電子辞典カスタマイズのホームページ（ＨＰ）において、ユーザ自身が必要とする電子辞典４０のベースモデル、辞典の内容を選択すると共に、各辞典および機能，特殊文字などを指定するためのキー配列を設定すると、サーバ１０において受注内容（ベースモデル，辞典，キー配列）に応じた電子辞典のカスタマイズ処理が行われ、これに応じて発注ユーザ独自の辞典が収録され、キー配列が設定されて多色印刷された電子辞典４０がメーカファクトリＦＡの各製造工程３０Ｌ１〜３０Ｌ３を経て製造されて発注元のユーザへ配送される。
【００６３】
つまり、第１製造工程（キーボードレーザ印刷工程）３０Ｌ１により、受注したベースモデル電子辞典４０Ａ，４０Ｂ，４０Ｃ，…毎に発注ユーザを特定し、当該ユーザにより選択設定された辞典，機能，特殊文字の内容とそのキー配列に応じて、図３に示すように、検索辞典指定キー４４▲１▼〜４４▲６▼の各キートップエリア▲１▼ａ〜▲６▼ａおよび各ケース面エリア▲１▼ｂ〜▲６▼ｂ、そして各文字・記号入力キー４４ａ…の各ケース面エリアＬ１−１Ｒ，Ｌ１−１Ｂ，〜，Ｌ３−１０Ｒ，Ｌ３−１０Ｂに対するレーザマーキング多色印刷が施され、さらに、発注ユーザの名前とその指定色に応じて、キー入力パネル４４の最上段の名入れケース面エリア▲１▼，▲２▼，▲３▼，▲４▼に対するユーザ名のレーザマーキング多色印刷が施される。
【００６４】
そして、第２製造工程（ＲＯＭ書き込み工程）３０Ｌ２により、ユーザ選択された辞典の内容に応じた各辞典データの書き込みとそのキー配列に応じたキー入力処理プログラムの書き込みが行われる。次に、第３製造工程（発送工程）３０Ｌ３により、この工程に送られた各電子辞典４０Ａ，４０Ｂ，４０Ｃ毎に、ユーザにより入力された住所・氏名を宛先として記述した送付先ラベルが添付されて梱包，配送される。
【００６５】
図４は前記電子辞典受注生産システムにおける製造サーバ１０の電子回路の構成を示すブロック図である。
【００６６】
この製造サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ  ｐｒｏｃｅｓｓｉｎｇ  ｕｎｉｔ）１１が備えられる。
【００６７】
ＣＰＵ１１は、メモリ１２に予め記憶されたサーバ制御プログラム、あるいはＣＤ−ＲＯＭなどの外部記録媒体１３から記録媒体読取部１４を介して前記メモリ１２に読み込まれたサーバ制御プログラム、あるいは通信ネットワーク（インターネット）Ｎ上のＷｅｂサーバ（この場合はプログラムサーバ）から電送制御部１５を介して前記メモリ１２に読み込まれたサーバ制御プログラムに応じて、回路各部の動作を制御する。
【００６８】
前記メモリ１２に記憶されたサーバ制御プログラムは、電送制御部１５を介して接続される通信ネットワーク（インターネット）Ｎ上のユーザ端末（ＰＣ）２０…との通信信号、あるいはその他の各Ｗｅｂサーバとの通信信号、キーやマウス，タッチパネルなどからなる入力部１６からのオペレータ操作に応じた入力信号に応じて起動される。
【００６９】
前記ＣＰＵ１１には、前記メモリ１２、記録媒体読取部１４、電送制御部１５、入力部１６が接続される他に、表示部１７などが接続される。
【００７０】
メモリ１２内のプログラムメモリ１２Ａには、当該製造サーバ１０の全体の動作を司るシステムプログラムや電送制御部１５を介して通信ネットワーク（インターネット）Ｎ上の各コンピュータ端末２０…やＷｅｂサーバとデータ通信するための通信プログラムが記憶される他に、ユーザ端末２０…からの電子辞典カスタマイズの受注製造処理などを行うための製造サーバ処理プログラム１２ａなどが記憶される。
【００７１】
また、このメモリ１２内には、電子辞典カスタマイズの受注製造処理に伴いデータの作業領域となる購入情報メモリ１２Ｂ、顧客情報メモリ１２Ｃ、ベースモデルメモリ１２Ｄ、製品データメモリ１２Ｅが用意される。
【００７２】
購入情報メモリ１２Ｂには、ユーザ端末２０からの電子辞典カスタマイズの受注に伴い設定された製品ＩＤ１２ｂ１に対応付けられて、顧客ＩＤ１２ｂ２、ユーザ選択された電子辞典ハード［ベースモデル］の種類（名刺サイズ／大画面音声なし／大画面音声付き）１２ｂ３、ユーザ選択された辞典ソフト名１２ｂ４、ユーザ選択されたキー配列変更の有無と配列内容１２ｂ５、ユーザ選択されたメニュー内辞典変更の有無と配列内容１２ｂ６、ユーザ選択された名入れの色および入力された名前（ユーザ名）１２ｂ７が、各購入ユーザ毎に記憶管理される。
【００７３】
顧客情報メモリ１２Ｃには、ユーザ端末２０からの電子辞典カスタマイズの受注に伴い、ユーザ端末２０との間で確認された顧客ＩＤ１２ｃ１、ユーザ入力された氏名１２ｃ２、ユーザ入力された住所１２ｃ３、ユーザ入力されたクレジットカード番号１２ｃ４が、各購入ユーザ毎に記憶管理される。
【００７４】
ベースモデルメモリ１２Ｄには、電子辞典メーカファクトリＦＡにて用意された電子辞典ベースモデル４０（名刺サイズ／大画面音声なし／大画面音声付き）それぞれにおける検索辞典指定キー４４▲１▼〜４４▲６▼の各キートップエリア▲１▼ａ〜▲６▼ａと各ケース面エリア▲１▼ｂ〜▲６▼ｂに対応したレーザ印刷（赤）用の座標位置、文字・記号入力キー群４４ａの各キー毎の各ケース面エリアＬ１−１〜Ｌ３−１０に対応したレーザ印刷（赤）（青）用の各座標位置、キー入力パネル４４の最上段の各名入れエリア▲１▼（金）〜▲４▼（青）に対応したレーザ印刷用の座標位置をそれぞれ示す印刷位置テーブル１２ｄ１（図５参照：大画面音声付き用）が記憶される。
【００７５】
図５は前記製造サーバ１０のベースモデルメモリ１２Ｄに記憶される大画面音声付き電子辞典用の印刷位置テーブル１２ｄ１のデータ内容を示す図である。
【００７６】
なお、名刺サイズ電子辞典用および大画面音声なし電子辞典用の印刷位置テーブルの図示は省略する。
【００７７】
この印刷位置テーブル１２ｄ１において示される各検索辞典指定キー４４▲１▼〜４４▲６▼の各キートップエリア▲１▼ａ〜▲６▼ａと各ケース面エリア▲１▼ｂ〜▲６▼ｂに対応したレーザ印刷（赤）用の座標位置、文字・記号入力キー群４４ａの各キー毎の各ケース面エリアＬ１−１〜Ｌ３−１０に対応したレーザ印刷（赤）（青）用の各座標位置、キー入力パネル４４の最上段の各名入れエリア▲１▼（金）〜▲４▼（青）に対応したレーザ印刷用の座標位置は、各ベースモデル４０（名刺サイズ／大画面音声なし／大画面音声付き）におけるキー入力ケース部４１の左上角を原点としたｘ座標，ｙ座標とされる。
【００７８】
また、ベースモデルメモリ１２Ｄには、ユーザ設定される複数の辞典の組み合わせとその各辞典，機能，特殊文字のキー配列、およびユーザ設定される名入れ文字とその名入れ位置に応じて、各検索辞典指定キー４４▲１▼〜４４▲６▼のキートップエリア▲１▼ａ〜▲６▼ａ・各ケース面エリア▲１▼ｂ〜▲６▼ｂ・文字・記号入力キー群４４ａの各ケース面エリアＬ１−１〜Ｌ３−１０とそれぞれそこに印刷すべき各辞典名，機能名，特殊文字データとの対応付け、およびキー入力パネル４４の最上段の各名入れエリア▲１▼（金）〜▲４▼（青）とそこに印刷すべき各名入れデータ（名入れ文字）との対応付け示すキーボード印刷内容テーブル１２ｄ２（図６参照）が記憶される。
【００７９】
図６は前記製造サーバ１０のベースモデルメモリ１２Ｄに記憶されるキーボード印刷内容テーブル１２ｄ２のデータ内容を示す図である。
【００８０】
このキーボード印刷内容テーブル１２ｄ２において、文字・記号入力キー群４４ａの各ケース面エリアＬ１−１〜Ｌ３−１０とそこに印刷すべき各辞典名，機能名，特殊文字データとの対応付けデータには、さらにその印刷対象データが該当ケース面エリアＬｎ−ｍの左側に赤色印刷すべき機能データか、右側に青色印刷すべき文字データかを示す機能色／文字色識別データが付加され、また、キー入力パネル４４の最上段の各名入れエリア▲１▼（金）〜▲４▼（青）とそこに印刷すべき各名入れデータ（名入れ文字）との対応付けデータには、さらにその印刷対象データの有無を示す印刷有／無識別子が付加される。
【００８１】
製品データメモリ１２Ｅには、前記購入情報メモリ１２Ｂに記憶された電子辞典カスタマイズのユーザ受注内容（製品ＩＤ１２ｂ１、顧客ＩＤ１２ｂ２、電子辞典ハード１２ｂ３、辞典ソフト名１２ｂ４、キー配列内容１２ｂ５、メニュー配列内容１２ｂ６）に基づき、当該製品ＩＤ１２ｅ１、顧客ＩＤ１２ｅ２に対応付けて、製造すべき電子辞典の本体ＲＯＭに書き込むためのＲＯＭ書き込みデータ１２ｅ３（図７参照）、および製造すべき電子辞典の検索辞典指定キー４４▲１▼〜４４▲６▼と文字・記号入力キー群４４ａとキー入力パネル４４最上段部のそれぞれにおける多色ケース印刷と多色キートップ印刷を行うためのレーザ印刷データ１２ｅ４が記憶される。
【００８２】
図７は前記製造サーバ１０の製品データメモリ１２Ｅに記憶されるＲＯＭ書き込みデータ１２ｅ３のデータ内容を示す図である。
【００８３】
図７（Ａ）に示すように、ＲＯＭ書き込みデータ１２ｅ３としては、製造すべき電子辞典の製品ＩＤ・顧客（ユーザ）ＩＤに対応付けて、ユーザ選択された電子辞典ハード１２ｂ３に対応する制御プログラム（１）、ユーザ選択されたキー配列内容１２ｂ５とメニュー配列内容１２ｂ６に対応するキー入力処理データ（２）、ユーザ選択された辞典ソフト名１２ｂ４に対応する各辞典データのデータベース（３）が記憶される。
【００８４】
ここで、キー入力処理データ（２）は、図７（Ｂ）に示すようなキー入力処理テーブルＡと、図７（Ｃ）に示すようなメニュー処理テーブルＢとの組み合わせからなる。キー入力処理テーブルＡ（図７（Ｂ）参照）には、キー入力パネル４４上の各検索辞典指定キー４４▲１▼〜４４▲６▼の操作に従い検索対象の辞典データとして機能させるべき各辞典名が、ダイレクト操作対応の処理テーブルａとシフト（「機能／ｃｏｄｅ」キー４４ｓ）同時操作対応の処理テーブルｂに分けられて記述され、さらに、各文字・記号入力キー群４４ａにおけるシフト（「機能／ｃｏｄｅ」キー４４ｓ）同時操作に従い機能させたり入力するべき各辞典名や機能名，文字が、各対応するケース面エリアＬ１−１〜ｌ３−１０の設定内容として機能／文字の識別子と共に記述される。また、メニュー処理テーブルＢ（図７（Ｃ）参照）には、前記キー入力処理テーブルＡで指定された「メニュー」キーとして機能する検索辞典指定キー４４▲６▼に従い検索対象の辞典データとして機能させるべき他の各辞典名がリストとして記述される。
【００８５】
レーザ印刷データ１２ｅ４としては、前記キーボード印刷内容テーブル１２ｄ２（図６参照）に記述された各検索辞典指定キー４４▲１▼〜４４▲６▼のキートップエリア▲１▼ａ〜▲６▼ａに多色印刷すべき各設定データ（辞典名）がその印刷位置（図５参照）に対応付けたキートップ印刷データ（２）［図１９のＭｋｅｙ参照］として記述され、また、各検索辞典指定キー４４▲１▼〜４４▲６▼と各文字・記号入力キー群４４ａのケース面エリア▲１▼ｂ〜▲６▼ｂとＬ１−１〜Ｌ３−１０に多色印刷すべき各設定データ（辞典名，機能名，入力文字）および各名入れエリア▲１▼〜▲４▼に多色印刷すべき名入れデータがそのそれぞれの印刷位置（図５参照）に対応付けたケース印刷データ（１）［図１８のＭｃａｓｅ参照］として記述される。
【００８６】
次に、前記構成による電子辞典受注生産システムの製造サーバ１０を中心とする電子辞典受注生産処理について説明する。
【００８７】
図８は前記電子辞典受注生産システムにおける受注生産全体処理を示すフローチャートであり、同図（Ａ）はそのユーザ端末処理を示すフローチャート、同図（Ｂ）はその製造サーバ処理を示すフローチャートである。
【００８８】
図９は前記電子辞典受注生産システムのユーザ端末処理及び製造サーバ処理に伴うカスタマイズ選択処理を示すフローチャートであり、同図（Ａ）はユーザ端末２０側でのカスタマイズ選択処理を示すフローチャート、同図（Ｂ）は製造サーバ１０側でのカスタマイズ選択処理を示すフローチャートである。
【００８９】
図１０は前記製造サーバ１０でのカスタマイズ選択処理に伴うレーザマーキング印刷データ（ケース印刷データ）の作成処理を示すフローチャートである。
【００９０】
図１１は前記製造サーバ１０でのカスタマイズ選択処理に伴うレーザマーキング印刷データ（キー印刷データ）の作成処理を示すフローチャートである。
【００９１】
図１２は前記電子辞典受注生産システムの製造サーバ１０により開設されているカスタマイズ辞典ＨＰ画面Ｇ１（同図（Ａ））およびこのカスタマイズ辞典ＨＰ画面Ｇ１に従いユーザ端末２０へ提供表示される辞典選択画面Ｇ２（同図（Ｂ））を示す図である。
【００９２】
ユーザ端末２０から通信ネットワーク（インターネット）Ｎを介して製造サーバ１０へのアクセスが行われると（ステップＡ１）、製造サーバ１０では、電送制御部１５を介してアクセス元のユーザ端末２０との通信が開始され、カスタマイズ辞典ファクトリのＨＰ情報が送信される（ステップＢ１）。
【００９３】
すると、ユーザ端末２０では、前記製造サーバ１０から送信されたカスタマイズ辞典ファクトリのＨＰ情報に従い、図１２（Ａ）に示すように、カスタマイズ辞典ＨＰ画面Ｇ１が表示され、製造サーバ１０との間で図９におけるカスタマイズ選択処理が開始される（ステップＡＣ／ＢＤ）。
【００９４】
なお、このカスタマイズ選択処理は、製造サーバ１０に予め記憶された辞典選択処理プログラムに基づきユーザ端末２０との間で順次送受信アクセスを繰り返しながら行う構成としてもよいし、前記製造サーバ１０からユーザ端末２０へのカスタマイズ辞典ファクトリのＨＰ情報と共にその辞典選択処理プログラムもダウンロードし、ユーザが発注する電子辞典の内容が選択決定されるまでの処理について、全てユーザ端末２０にダウンロードされた辞典選択処理プログラムに基づき行う構成としてもよい。
【００９５】
図９（Ａ）におけるユーザ端末２０側でのカスタマイズ選択処理と図９（Ｂ）における製造サーバ１０側でのカスタマイズ選択処理とにおいて、前記図１２（Ａ）で示したように、ユーザ端末２０に表示されたカスタマイズ辞典ＨＰ画面Ｇ１上でユーザ固有の電子辞典の作成を指示するための「辞典を作ってみる」ボタンＸ１が操作されると（ステップＣ１）、製造サーバ１０では、各種辞典のデータをユーザ側で選択させるための辞典選択画面Ｇ２が送信される（ステップＤ１）。
【００９６】
図１２（Ｂ）で示したように、ユーザ端末２０において、表示された辞典選択画面Ｇ２上で、各種の辞典（英和／和英／他国語／国語／漢和／…）毎にユーザが搭載を希望する辞典の種類が選択的に指定され送信されると共に（ステップＣ２）、希望の電子辞典ハード［ベースモデル］が（名刺サイズ／大画面音声なし／大画面音声付き）の中から選択的に指定され送信されると（ステップＣ３）、このユーザ選択された各辞典名および電子辞典ハードの種類が製造サーバ１０にて順次受信され、顧客ＩＤ１２ｂ２を対応付けた購入情報メモリ１２Ｂ内の電子辞典ハード１２ｂ３、辞典ソフト名１２ｂ４として登録される（ステップＤ２，Ｄ３）。
【００９７】
そして、ユーザ端末２０において、希望する辞典の種類の選択および希望する電子辞典ハードの選択が終わり、前記図１２（Ｂ）で示した辞典選択画面Ｇ２上の「次へ」ボタンＸ２が操作されると（ステップＣ４）、当該「次へ」ボタンＸ２の操作信号が製造サーバ１０へ送信される（ステップＣ５）。
【００９８】
製造サーバ１０において、前記ユーザ端末２０から送信された「次へ」信号が受信されると、ユーザ選択された電子辞典ハード［ベースモデル］に対応するキー入力パネル４４上のキー配列画像データが読み出され（ステップＤ４）、ユーザ選択された各辞典の組み合わせに応じてベースモデルメモリ１２Ｄに記憶されている標準でのキーの並び順データが読み出され、選択された各辞典および電子辞典ハードに応じた標準でのキーボード・メニューデータ（図１３参照）が作成される（ステップＤ５）。
【００９９】
そして、製造サーバ１０において作成されたユーザ選択辞典名およびユーザ選択辞典ハードに応じた標準キーボード・メニューデータが、ユーザ端末２０へ送信されると（ステップＤ６）、ユーザ端末２０では、前記サーバ１０から受信された標準キーボード・メニューデータが、図１３に示すような標準キーボード・メニュー画面Ｇ３として表示される（ステップＣ６）。
【０１００】
図１３は前記電子辞典受注生産システムでのカスタマイズ選択処理に伴いユーザ端末２０へ提供表示される選択された辞典に応じた標準キーボード・メニュー画面Ｇ３を示す図である。
【０１０１】
図１４は前記電子辞典受注生産システムでのカスタマイズ選択処理に伴いユーザ端末２０へ提供表示される標準からの変更を要する修正キーボード・メニュー画面Ｇ４を示す図である。
【０１０２】
ここで、図１３，図１４に示す各キーボード・メニュー画面Ｇ３，Ｇ４は、ユーザ選択された辞典が「広＊苑」「グロ＊バル英和」「リ＊ダース和英」「漢＊林」「明＊古語」「広＊苑分野別」「グ＊ンド英和」「四字熟語」「ことわざ」「カタカナ」「ＩＴ英和」「独和」「和独」であり、ユーザ選択された電子辞典ハードが（大画面音声付き）である場合を示す。標準キーボード・メニュー画面Ｇ３では、各検索辞典指定キー４４▲１▼〜４４▲６▼のキートップエリア▲１▼ａ〜▲６▼ａに対応するダイレクト指定の辞典およびケース面エリア▲１▼ｂ〜▲６▼ｂに対応するシフト（「機能／ｃｏｄｅ」キー４４ｓ）同時指定の辞典として、▲１▼ａ「広＊苑」、▲１▼ｂ「広＊苑分野別」、▲２▼ａ「グ＊ンド英和」、▲２▼ｂ「グロ＊バル英和」、▲３▼ａ「リ＊ダース和英」、▲４▼ａ「漢＊林」、▲４▼ｂ「四字熟語」、▲５▼ａ「明＊古語」、▲５▼ｂ「ことわざ」、▲６▼ａ「メニュー」が標準設定され、メニュー内容▲６▼ａｍとして「独和辞典」「和独辞典」「カタカナ辞典」「ＩＴ英和辞典」が順次標準設定されると共に、文字・記号入力キー４４ａ「Ｕ」「Ｏ」「Ｓ」「Ｋ」「Ｌ」「削除」の各ケース面エリアＬ１−７，Ｌ１−９，Ｌ２−２，Ｌ２−８，Ｌ２−９，Ｌ３−１０に対応するシフト（「機能／ｃｏｄｅ」キー４４ｓ）同時指定の入力文字および機能として、Ｌ１−７「Ｕ（ウムラウト）」、Ｌ１−９「Ｏ（ウムラウト）」、Ｌ２−２「β」、Ｌ２−８「？」、Ｌ２−９「〜」、Ｌ３−１０「設定」が各々標準設定される。さらに、この標準キーボード・メニュー画面Ｇ３では、キー入力パネル４４最上段の名入れエリア▲１▼〜▲４▼に対応する名入れ色として、▲１▼（金色）が標準設定される。
【０１０３】
この標準キーボード・メニュー画面Ｇ３の表示状態で、各辞典を指定するためのキー配列が当該標準配列のままでよい場合に、「ＹＥＳ」ボタンが操作されて標準「ＯＫ」と判断されると（ステップＣ７）、この標準「ＯＫ」信号が製造サーバ１０へ送信される（ステップＣ８）。
【０１０４】
製造サーバ１０において、前記ユーザ端末２０から受信された標準「ＯＫ」信号が受信されると（ステップＤ７）、ユーザ端末２０において入力（ステップＣ１２）された名入れの文字「名前データ」が受信される（ステップＤ１１）。
【０１０５】
そして、前記標準キーボード・メニュー画面Ｇ３に従い標準設定された各検索辞典指定キー４４▲１▼〜４４▲６▼のキートップエリア▲１▼ａ〜▲６▼ａおよびケース面エリア▲１▼ｂ〜▲６▼ｂの指定に対応して機能する各辞典、また、「メニュー」キー４４▲６▼ａによるメニュー内容▲６▼ａｍの指定に対応して機能する各辞典が、顧客ＩＤ１２ｂ２を対応付けた購入情報メモリ１２Ｂ内のキー配列内容１２ｂ５、メニュー配列内容１２ｂ６として登録されると共に（ステップＤ１３）、同標準キーボード・メニュー画面Ｇ３に従い標準設定された文字・記号入力キー群４４ａのケース面エリアＬ１−１〜Ｌ３−１０の指定に対応して機能する各種の機能および入力文字コードの内容が、同顧客ＩＤ１２ｂ２を対応付けた購入情報メモリ１２Ｂ内のキー配列内容１２ｂ５として登録される（ステップＤ１４）。さらに、前記標準キーボード・メニュー画面Ｇ３に従い標準設定されたキー入力エリア４４最上段の名入れエリアとその色▲１▼（金）およびユーザ入力されて受信された名前（ユーザ名）が、同顧客ＩＤ１２ｂ２を対応付けた購入情報メモリ１２Ｂ内の名入れ色／名前１２ｂ７として登録される（ステップＤ１５）。
【０１０６】
するとこの後、キー入力処理テーブル（図７（Ｂ）参照）の作成処理（ステップＤ１６）、メニュー処理テーブル（図７（Ｃ）参照）の作成処理（ステップＤ１７）へ移行される。
【０１０７】
一方、前記ユーザ端末２０における、標準キーボード・メニュー画面Ｇ３の表示状態で、各辞典，機能，特殊文字入力を指定するためのキー配列，メニュー配列が当該標準配列のままでなくユーザ独自に修正・追加を加えたい場合に、「ＮＯ」ボタンが操作されることで標準「ＯＫ」でないと判断されると（ステップＣ７）、前記標準キーボード・メニュー画面Ｇ３は、図１４に示すように、各検索辞典指定キー４４▲１▼〜４４▲６▼のキートップエリア▲１▼ａ〜▲６▼ａ，ケース面エリア▲１▼ｂ〜▲６▼ｂ，メニュー内容▲６▼ａｍにて指定される各辞典のキー配列、および文字・記号入力キー群４４ａのケース面エリアＬ１−１〜Ｌ３−１０にて指定される各種の機能，特殊文字入力のキー配列、さらに名入れエリア▲１▼〜▲４▼にて設定される名入れの色を、ドラッグ＆ドロップ操作によって適宜修正可能な修正キーボード・メニュー画面Ｇ４として表示される（ステップＣ９〜Ｃ１１）。
【０１０８】
つまり、この修正キーボード・メニュー画面Ｇ４では、各検索辞典指定キー４４▲１▼〜４４▲６▼のキートップエリア▲１▼ａ〜▲６▼ａおよびケース面エリア▲１▼ｂ〜▲６▼ｂそしてメニュー内容▲６▼ａｍの相互間で、各エリアにて記述指定される辞典名をドラッグ＆ドロップ操作によって自在に変更可能であるのと共に、文字・記号入力キー群４４ａの各ケース面エリアＬ１−１〜Ｌ３−１０の相互間で、各エリアにて記述指定される機能名や特殊文字をドラッグ＆ドロップ操作によって自在に変更可能なもので、ドロップ先のエリアに事前に存在した辞典名，機能名，特殊文字などはその位置までドラッグされてきた他の辞典名，機能名，特殊文字などのドロップ操作によってドラッグされ他の任意のエリアへの移動ドロップが行われる。また、この修正キーボード・メニュー画面Ｇ４では、名入れエリア▲１▼〜▲４▼の指定によってその名入れの色が自在に変更可能である。
【０１０９】
こうして、前記修正キーボード・メニュー画面Ｇ４において、ユーザ選択された各辞典を指定するためのキー配列とメニュー配列について所望の修正表示操作が行われると共に（ステップＣ９）、文字・記号入力キー４４ａ…と「機能／ｃｏｄｅ」キー４４ｓの同時操作により各機能，特殊文字入力を指定するためのキー配列について所望の修正・追加表示操作が行われ（ステップＣ１０）、さらに名入れエリア▲１▼〜▲４▼に対する名入れ色の指定が行われて（ステップＣ１１）、当該名入れの文字（ユーザ名）が入力される（ステップＣ１２）。
【０１１０】
なお、前記修正キーボード・メニュー画面Ｇ４での各キートップエリア▲１▼ａ〜▲６▼ａおよび各ケース面エリア▲１▼ｂ〜▲６▼ｂ，ケース面エリアＬ１−１〜Ｌ３−１０に対して修正・追加設定された各辞典名，機能名，特殊文字には、例えば図１４で示すように、ユーザ操作によりキー印刷，ケース印刷のための任意の文字修飾（斜体／太線／下線／囲み枠など）を設定できる。
【０１１１】
すると、ユーザ端末２０での修正キーボード・メニュー画面Ｇ４にて、順次修正・追加・入力された各辞典を指定するためのキー配列（含む文字修飾）とメニュー配列のデータ、各機能，特殊文字入力を指定するためのキー配列（含む文字修飾）のデータ、名入れエリア▲１▼〜▲４▼に対する名入れ色の指定データ、そしてその名入れ文字（ユーザ名）のデータが、それぞれ製造サーバ１０にて受信される（ステップＤ８，Ｄ９，Ｄ１０，Ｄ１１）。
【０１１２】
そして、ユーザ端末２０において、「ＯＫ」ボタンが操作されることで、前記修正キーボード・メニュー画面Ｇ４についての修正・追加・入力「ＯＫ」と判断され（ステップＣ１３）、そのＯＫ信号が製造サーバ１０にて受信されると（ステップＤ１２）、当該修正設定された各検索辞典指定キー４４▲１▼〜４４▲６▼のキートップエリア▲１▼ａ〜▲６▼ａおよびケース面エリア▲１▼ｂ〜▲６▼ｂの指定に対応して機能する各辞典（含む文字修飾）、また、「メニュー」キー４４▲６▼ａによるメニュー内容▲６▼ａｍの指定に対応して機能する各辞典が、顧客ＩＤ１２ｂ２を対応付けた購入情報メモリ１２Ｂ内のキー配列内容１２ｂ５、メニュー配列内容１２ｂ６として修正登録されると共に（ステップＤ１３）、同修正・追加設定された文字・記号入力キー群４４ａのケース面エリアＬ１−１〜Ｌ３−１０の指定に対応して機能する各種の機能および入力文字コードの内容（含む文字修飾）が、同顧客ＩＤ１２ｂ２を対応付けた購入情報メモリ１２Ｂ内のキー配列内容１２ｂ５として修正・追加登録される（ステップＤ１４）。さらに、前記修正画面Ｇ４に従い修正・入力設定されたキー入力エリア４４最上段の名入れ色およびその名前（ユーザ名）が、同顧客ＩＤ１２ｂ２を対応付けた購入情報メモリ１２Ｂ内の名入れ色／名前１２ｂ７として修正・入力され登録される（ステップＤ１５）。
【０１１３】
すると、前記購入情報メモリ１２Ｂ内のキー配列内容１２ｂ５に登録された各検索辞典指定キー４４▲１▼〜４４▲６▼のキートップエリア▲１▼ａ〜▲６▼ａおよびケース面エリア▲１▼ｂ〜▲６▼ｂにそれぞれ対応する各辞典名、さらに文字・記号入力キー群４４ａのケース面エリアＬ１−１〜Ｌ３−１０にそれぞれ対応する機能名，特殊文字に基づき、図７（Ｂ）に示すように各キー入力エリアに辞典名，機能名，特殊文字を対応付けたキー入力処理テーブルが作成されると共に（ステップＤ１６）、メニュー配列内容１２ｂ６に登録されたメニュー内容▲６▼ａｍにそれぞれ対応する各辞典名に基づき、図７（Ｃ）に示すようにメニューリストに各辞典名を対応付けたメニュー処理テーブルが作成される（ステップＤ１７）。
【０１１４】
このキー入力処理テーブル（図７（Ｂ）参照）の作成に際しては、前記各キートップエリア▲１▼ａ〜▲６▼ａ，各ケース面エリア▲１▼ｂ〜▲６▼ｂ，Ｌ１−１〜Ｌ３−１０に対応付けられた辞典名，機能名，特殊文字が、該当電子辞典の印刷内容テーブル１２ｄ２（図６参照）として設定登録されると共に、当該印刷内容テーブル１２ｄ２にはさらに、ユーザ入力された名入れ色およびその名入れ文字が設定登録される。
【０１１５】
すると、前記ユーザ選択された各辞典名、電子辞典ハード、キー配列、および作成されたキー入力処理テーブル、メニュー処理テーブル、各辞典それぞれのデータに基づき、図７（Ａ）で示すような製品ＩＤ１２ｅ１，顧客ＩＤ１２ｅ２に対応付けたＲＯＭ書き込みデータ１２ｅ３の一覧テーブルが作成される（ステップＤ１８）。
【０１１６】
これにより、ユーザ希望の電子辞典ハードに対し、ユーザ希望の各辞典，機能，特殊文字入力を、ユーザ希望のキー配列およびメニュー配列として処理可能に設定登録するためのＲＯＭ書き込みデータ１２ｅ３が、製品ＩＤ１２ｅ１・顧客ＩＤ１２ｅ２毎に得られる。
【０１１７】
すると、図１０におけるレーザマーキングのケース印刷データ作成処理、図１１におけるレーザマーキングのキー印刷データの作成処理に移行される（ステップＤＥ，ＤＦ）。
【０１１８】
まず、図１０におけるレーザマーキングのケース印刷データ作成処理（ステップＤＥ）が開始されると、ベースモデルメモリ１２Ｄに記憶される印刷位置テーブル１２ｄ１（図５参照）から、ユーザ選択されたＲＯＭ書き込みデータ１２ｅ３として顧客ＩＤ１２ｅ２に対応付けて記憶されている電子辞典ハード（例えば「大画面音声付き」）のケース面エリア▲１▼ｂ〜▲６▼ｂ，Ｌ１−１〜Ｌ３−１０および名入れエリア▲１▼〜▲４▼に対応する各印刷位置データが読み出される（ステップＥ１）。
【０１１９】
これと共に、ユーザにより入力されて印刷内容テーブル１２ｄ２（図６参照）に設定登録された名入れ色▲１▼〜▲４▼とその名入れデータが読み出される（ステップＥ２）。
【０１２０】
すると、マーキング対象名入れエリアＮｏ＝▲１▼が初期設定され、当該指定された名入れエリア▲１▼（金）に対応する名入れデータ（例えば「＊＊＊＊Ｕｎｉｖｅｒｓｉｔｙ」）の文字パターンが読み出される（ステップＥ４）。
【０１２１】
また、前記選択された電子辞典ハード（例えば「大画面音声付き」）の前記指定された名入れエリア▲１▼に対応する印刷位置データ（ｘ座標（７４），ｙ座標（−１４））が読み出され、この印刷位置データに従ってレーザマーキング用画像上の対応する位置に前記名入れデータ（例えば「＊＊＊＊Ｕｎｉｖｅｒｓｉｔｙ」）の文字パターン（指定の文字修飾）が貼り付けられる（ステップＥ５）。
【０１２２】
すると、マーキング対象名入れエリアＮｏが最終Ｎｏの▲４▼に到達したか否か判断され（ステップＥ６）、エリア▲４▼に到達してないと判断された場合には、当該対象名入れエリアＮｏには次のエリアＮｏが指定されて“▲２▼”にセットされる（ステップＥ７）。
【０１２３】
すると、新たに指定された名入れエリア▲２▼（銀）に対応する名入れデータ（本実施形態では空白）の文字パターンが読み出される（ステップＥ４）。
【０１２４】
また、前記選択された電子辞典ハード（例えば「大画面音声付き」）の前記指定された名入れエリア▲２▼に対応する印刷位置データ（ｘ座標（１０５），ｙ座標（−１４））が読み出され、この印刷位置データに従ってレーザマーキング用画像上の対応する位置に前記名入れデータ（本実施形態では空白）の文字パターンが貼り付けられる（ステップＥ５）。
【０１２５】
この後、前記ステップＥ４〜Ｅ６の処理が順次繰り返されることで、続く各名入れエリア▲３▼（赤），▲４▼（青）に対応して印刷内容テーブル１２ｄ２から読み出された各名入れデータ▲３▼「Ｈａｎａｋｏ．Ｙａｎｏ」▲４▼「−」それぞれの文字パターンが、それぞれ対応する印刷位置データに従ってレーザマーキング用画像上の対応する位置に貼り付けられる。
【０１２６】
続いて、ユーザによりキー配列が修正されてＲＯＭ書き込みデータ１２ｅ３として記憶されているキー入力処理テーブル内のケース面エリア▲１▼ｂ〜▲６▼ｂにそれぞれ対応する各辞典名（図７（Ｂ）参照）が読み出される（ステップＥ８）。
【０１２７】
すると、マーキング対象ケース面エリアＮｏ＝▲１▼が設定され（ステップＥ９）、当該指定されたケース面エリア▲１▼ｂに対応する辞典名（例えば「ＩＴ英和辞典」）の文字パターンが読み出される（ステップＥ１０）。
【０１２８】
また、前記選択された電子辞典ハード（例えば「大画面音声付き」）の前記指定されたケース面エリア▲１▼ｂに対応する印刷位置データ（ｘ座標（１７），ｙ座標（１））が読み出され、この印刷位置データに従ってレーザマーキング用画像上の対応する位置に前記辞典名（例えば「ＩＴ英和辞典」）の文字パターン（指定の文字修飾）が貼り付けられる（ステップＥ１１）。
【０１２９】
すると、マーキング対象ケース面エリアＮｏが最終Ｎｏの▲６▼に到達したか否か判断され（ステップＥ１２）、エリア▲６▼に到達してないと判断された場合には、当該対象ケース面エリアＮｏには次のＮｏが指定されて“▲２▼”にセットされる（ステップＥ１３）。
【０１３０】
すると、新たに指定されたケース面エリア▲２▼ｂに対応する辞典名（例えば「カタカナ辞典」）の文字パターンが読み出される（ステップＥ１０）。
【０１３１】
また、前記選択された電子辞典ハード（例えば「大画面音声付き」）の前記指定されたケース面エリア▲２▼ｂに対応する印刷位置データ（ｘ座標（３７），ｙ座標（１））が読み出され、この印刷位置データに従ってレーザマーキング用画像上の対応する位置に前記辞典名（例えば「カタカナ辞典」）の文字パターン（指定の文字修飾）が貼り付けられる（ステップＥ１１）。
【０１３２】
この後、前記ステップＥ１０〜Ｅ１２の処理が順次繰り返されることで、続く各ケース面エリア▲３▼ｂ〜▲６▼ｂに対応してキー入力処理テーブルから読み出された各辞典名▲３▼ｂ「−」▲４▼ｂ「四字熟語」▲５▼ｂ「広辞苑分野別」▲６▼ｂ「電卓」それぞれの文字パターン（指定の文字修飾）が、それぞれ対応する印刷位置データに従ってレーザマーキング用画像上の対応する位置に貼り付けられる。
【０１３３】
さらに続いて、ユーザによりキー配列が修正されてＲＯＭ書き込みデータ１２ｅ３として記憶されているキー入力処理テーブル内のケース面エリアＬ１−１〜Ｌ３−１０にそれぞれ対応する各機能名（辞典名），特殊文字（図７（Ｂ）参照）が、その機能／文字の識別子と共に読み出される（ステップＥ１４）。
【０１３４】
すると、マーキング対象ケース面エリアＮｏ＝Ｌ１−１が設定され（ステップＥ１５）、当該指定されたケース面エリアＬ１−１に対応する機能名／特殊文字（この場合は機能名「独和辞典」）の文字パターン（指定の文字修飾）が読み出されると共に（ステップＥ１６）、その機能／文字の設定内容（機能）が読み出される（ステップＥ１７）。
【０１３５】
ここで、今回のケース面エリアＬ１−１に対応して読み出された文字パターンが文字として設定されているか否（機能として設定）か判断される（ステップＥ１８）。
【０１３６】
そして、機能として設定されている場合には、前記選択された電子辞典ハード（例えば「大画面音声」）の前記指定されたケース面エリアＬ１−１に対応する機能エリア（左側）の印刷位置データ（ｘ座標（１９），ｙ座標（１））が読み出され、この印刷位置データに従ってレーザマーキング用画像上の対応する位置に前記機能名（例えば「独話辞典」）の文字パターン（指定の文字修飾）が貼り付けられる（ステップＥ１８→Ｅ１９，Ｅ２１）。
【０１３７】
すると、マーキング対象ケース面エリアＮｏが最終ＮｏのＬ３−１０に到達したか否か判断され（ステップＥ２２）、エリアＬ３−１０に到達してないと判断された場合には、当該対象ケース面エリアＮｏには次のＮｏが指定されて“Ｌ１−２”にセットされる（ステップＥ２３）。
【０１３８】
すると、新たに指定されたケース面エリアＬ１−２に対応する機能名／特殊文字（この場合は機能名「和独辞典」）の文字パターン（指定の文字修飾）が読み出されると共に（ステップＥ１６）、その機能／文字の設定内容（機能）が読み出される（ステップＥ１７）。
【０１３９】
そして、機能として設定されている場合には、前記選択された電子辞典ハード（例えば「大画面音声」）の前記指定されたケース面エリアＬ１−２に対応する機能エリア（左側）の印刷位置データ（ｘ座標（１９），ｙ座標（１５））が読み出され、この印刷位置データに従ってレーザマーキング用画像上の対応する位置に前記機能名（例えば「独話辞典」）の文字パターン（指定の文字修飾）が貼り付けられる（ステップＥ１８→Ｅ１９，Ｅ２１）。
【０１４０】
この後、例えばケース面エリアＬ１−７が指定されると（ステップＥ２３）、新たに指定されたケース面エリアＬ１−７に対応する機能名／特殊文字（この場合は特殊文字「Ｕ（ウムラウト）」）の文字パターンが読み出されると共に（ステップＥ１６）、その機能／文字の設定内容（文字）が読み出される（ステップＥ１７）。
【０１４１】
そして、文字として設定されている場合には、前記選択された電子辞典ハード（例えば「大画面音声」）の前記指定されたケース面エリアＬ１−７に対応する文字エリア（右側）の印刷位置データ（ｘ座標（１９），ｙ座標（９１））が読み出され、この印刷位置データに従ってレーザマーキング用画像上の対応する位置に前記特殊文字（例えば「Ｕ（ウムラウト）」）の文字パターンが貼り付けられる（ステップＥ１８→Ｅ２０，Ｅ２１）。
【０１４２】
この後、前記ステップＥ１６〜Ｅ２３の処理が順次繰り返されることで、続く各ケース面エリアＬ１−８〜Ｌ３−１０に対応してキー入力処理テーブルから読み出された各機能名や特殊文字Ｌ１−８「−」Ｌ１−９「Ｏ（ウムラウト）」…Ｌ２−８「？」Ｌ２−９「〜」…Ｌ３−５「β」…Ｌ３−１０「設定」それぞれの文字パターンが、それぞれ対応する印刷位置データに従ってレーザマーキング用画像上の対応する位置に貼り付けられる。
【０１４３】
すると、名入れエリア▲１▼〜▲４▼および検索辞典指定キー４４▲１▼〜４４▲６▼の各ケース面エリア▲１▼ｂ〜▲６▼ｂおよび文字・記号入力キー群４４ａの各ケース面エリアＬ１−１〜Ｌ３−１０それぞれの印刷位置に対応して、キー入力処理テーブルおよび印刷内容テーブル１２ｄ２から読み出された各名入れデータ，辞典名，機能名，特殊文字の文字パターンを貼り付けて生成したレーザマーキング用の画像データがケース印刷データＭｃａｓｅ（図１８参照）に変換され、発注顧客ＩＤ１２ｅ２の製品データメモリ１２Ｅにおけるレーザ印刷データ１２ｅ４のケース印刷データ（１）として登録される（ステップＥ８）。
【０１４４】
次に、図１１におけるレーザマーキングのキー印刷データ作成処理（ステップＤＦ）が開始されると、ベースモデルメモリ１２Ｄに記憶される印刷位置テーブル１２ｄ１（図５参照）から、ユーザ選択されたＲＯＭ書き込みデータ１２ｅ３として顧客ＩＤ１２ｅ２に対応付けて記憶されている電子辞典ハード（例えば「大画面音声付き」）のキートップエリア▲１▼ａ〜▲６▼ａに対応する各印刷位置データが読み出される（ステップＦ１）。
【０１４５】
これと共に、ユーザによりキー配列が修正されてＲＯＭ書き込みデータ１２ｅ３として顧客ＩＤ１２ｅ２に対応付けて記憶されているキー入力処理テーブル内のキートップエリア▲１▼ａ〜▲６▼ａにそれぞれ対応する各辞典名（図７（Ｂ）参照）が読み出される（ステップＦ２）。
【０１４６】
すると、マーキング対象エリアＮｏ＝▲１▼が初期設定され、当該指定されたキートップエリア▲１▼ａに対応する辞典名（例えば「グロ＊バル英和」）の文字パターン（指定の文字修飾）が読み出される（ステップＦ４）。
【０１４７】
また、前記選択された電子辞典ハード（例えば「大画面音声付き」）の前記指定されたキートップエリア▲１▼ａに対応する印刷位置データ（ｘ座標（１７），ｙ座標（５））が読み出され、この印刷位置データに従ってレーザマーキング用画像上の対応する位置に前記辞典名（例えば「グロ＊バル英和」）の文字パターン（指定の文字修飾）が貼り付けられる（ステップＦ５）。
【０１４８】
すると、マーキング対象エリアＮｏが最終Ｎｏの▲６▼に到達したか否か判断され（ステップＦ６）、エリア▲６▼に到達してないと判断された場合には、当該対象エリアＮｏは“＋１”されて“▲２▼”にセットされる（ステップＦ７）。
【０１４９】
すると、新たに指定されたキートップエリア▲２▼ａに対応する辞典名（例えば「グ＊ンド英和」）の文字パターン（指定の文字修飾）が読み出される（ステップＦ４）。
【０１５０】
また、前記選択された電子辞典ハード（例えば「大画面音声付き」）の前記指定されたキートップエリア▲２▼ａに対応する印刷位置データ（ｘ座標（３７），ｙ座標（５））が読み出され、この印刷位置データに従ってレーザマーキング用画像上の対応する位置に前記辞典名（例えば「グ＊ンド英和」）の文字パターン（指定の文字修飾）が貼り付けられる（ステップＦ５）。
【０１５１】
この後、前記ステップＦ４〜Ｆ６の処理が順次繰り返されることで、続く各キートップエリア▲３▼ａ〜▲６▼ａに対応してキー入力処理テーブルから読み出された各辞典名▲３▼ａ「リ＊ダーズ和英」▲４▼ａ「漢＊林」▲５▼ａ「広辞苑」▲６▼ａ「メニュー」それぞれの文字パターン（指定の文字修飾）が、それぞれ対応する印刷位置データに従ってレーザマーキング用画像上の対応する位置に貼り付けられる。
【０１５２】
すると、検索辞典指定キー４４▲１▼〜４４▲６▼の各キートップエリア▲１▼ａ〜▲６▼ａの印刷位置に対応して、キー入力処理テーブルから読み出された各辞典名の文字パターンを貼り付けて生成したレーザマーキング用の画像データがキー印刷データＭｋｅｙ（図１９参照）に変換され、発注顧客ＩＤ１２ｅ２の製品データメモリ１２Ｅにおけるレーザ印刷データ１２ｅ４のキートップ印刷データ（２）として登録される（ステップＦ８）。
【０１５３】
これにより、前記図９（Ａ）（Ｂ）に従った、ユーザ端末２０でのカスタマイズ選択処理（ステップＡＣ）および製造サーバ１０でのカスタマイズ選択処理（ステップＢＤ）が終了する。
【０１５４】
図１５は前記電子辞典受注生産システムでのカスタマイズ選択処理に伴いユーザ端末２０へ提供表示されるカスタマイズ辞典の作成依頼画面Ｇ５を示す図である。
【０１５５】
このカスタマイズ辞典の作成依頼画面Ｇ５では、カスタマイズ辞典ファクトリに対する辞典作成依頼の送信メッセージと共に、ユーザ氏名・住所・クレジット番号の入力項目が表示されるもので、このカスタマイズ辞典作成依頼画面Ｇ５において、氏名・住所・クレジット番号がユーザ入力されて「ＯＫ」ボタンＸ２が操作されると、入力されたユーザ氏名・住所・クレジット番号の各データがユーザ端末２０から製造サーバ１０へ送信される（ステップＡ２）。
【０１５６】
製造サーバ１０において、前記ユーザ端末２０から送信されたユーザ氏名・住所・クレジット番号が受信されると（ステップＢ２）、これと共に前記カスタマイズ辞典選択処理（ステップＢＤ）において選択設定されて記憶された当該ユーザＩＤの購入情報（１２Ｂ），製品データ（１２Ｅ）に対応するところの顧客情報（１２Ｃ）として顧客情報メモリ１２Ｃに記憶される（ステップＢ３）。
【０１５７】
図１６は前記電子辞典受注生産システムのメーカファクトリＦＡにおける製造サーバ１０による各顧客対応の電子辞典生産指令処理を示すフローチャートである。
【０１５８】
図１７は前記電子辞典受注生産システムのメーカファクトリＦＡにおける「大画面音声付き」電子辞典４０に対するキー印刷・ケース印刷前のキー入力ケース部４１を示す図である。
【０１５９】
図１８は前記電子辞典受注生産システムのメーカファクトリＦＡにおける「大画面音声付き」電子辞典４０のキー入力ケース部４１に対するケース印刷状態を示す図である。
【０１６０】
図１９は前記電子辞典受注生産システムのメーカファクトリＦＡにおける「大画面音声付き」電子辞典４０のキー入力ケース部４１に対するキー印刷状態を示す図である。
【０１６１】
本実施形態の場合、電子辞典メーカファクトリＦＡ（図１参照）では、この製造サーバ１０からの生産指令に応じて、ファクトリオートメーションを制御することで、第１〜第３製造工程３０Ｌ１〜３０Ｌ３を経てユーザ個々人からの受注内容に合わせた電子辞典４０Ａ，４０Ｂ，４０Ｃ，…が製造されて配送される。
【０１６２】
ここでは、例えば前記図１２（Ｂ）で示したユーザ受注内容に従って、製造対象の顧客ＩＤ１２ｂ２に対応する電子辞典ハード１２ｂは「大画面音声付き」電子辞典４０、辞典の内容は「グ＊ンドコンサイス英和」「新グロ＊バル英和」「リ＊ダーズ和英」「独話」「和独」「広＊苑」「広＊苑分野別」「漢＊林」「四字熟語」「明＊古語辞典」「研＊社カタカナ辞典」「ことわざ辞典」「ＩＴ英和辞典」、各辞典を指定するためのキー配列は図１４で示したキー配列として選択設定された場合について説明する。
【０１６３】
この電子辞典生産指令処理では、まず製造対象の顧客ＩＤ１２ｂ２に対応するところの購入情報メモリ１２Ｂに記憶されている電子辞典ハード１２ｂ３「大画面音声付き」電子辞典４０が、製造ライン３０Ｌ上の第１製造工程（キーボードレーザ印刷工程）３０Ｌ１に送られる。すると、この第１製造工程３０Ｌ１に送られた大画面音声付き電子辞典４０Ｃのキー入力ケース部４１に対して、前記顧客ＩＤ１２ｅ２を対応付けた製品データ１２Ｅにおけるレーザ印刷データ１２ｅ４のケース印刷データ（１）Ｍｃａｓｅにより、図１８に示すように、レーザマーキングによる一筆書きでのケース印刷が施される（ステップＨ１）。
【０１６４】
つまり、キー入力ケース部４１における最上段の名入れエリア▲１▼（金），▲３▼（赤）の印刷位置に対して、「＊＊＊＊Ｕｎｉｖｅｒｓｉｔｙ」，「Ｈａｎａｋｏ．Ｙａｎｏ」のレーザマーキング印刷が、検索辞典指定キー４４▲１▼〜４４▲６▼の各ケース面エリア▲１▼ｂ（赤），▲２▼ｂ（赤），▲４▼ｂ（赤），▲５▼ｂ（赤），▲６▼ｂ（赤）の印刷位置に対して、「ＩＴ英和辞典」，「カタカナ辞典」，「四字熟語」（太字），「広＊苑分野別」「電卓」のレーザマーキング印刷が、文字・記号入力キー群４４ａの各ケース面エリアＬ１−１Ｒ（赤），Ｌ１−２Ｒ（赤），Ｌ１−７Ｂ（青），Ｌ１−９Ｂ（青），Ｌ２−８Ｂ（青），Ｌ２−９Ｂ（青），Ｌ３−６Ｂ（青），Ｌ３−１０Ｂ（青）の印刷位置に対して、「独話」（下線），「和独」（下線），「Ｕ（ウムラウト）」，「Ｏ（ウムラウト）」，「？」，「〜」，「β」，「設定」のレーザマーキング印刷が、それぞれ行われる。
【０１６５】
この場合、キー入力ケース部４１における最上段の名入れエリア▲１▼は金色の発色樹脂で、名入れエリア▲３▼は赤色の発色樹脂で構成されているので、その名入れデータ「＊＊＊＊Ｕｎｉｖｅｒｓｉｔｙ」は金色印刷され、「Ｈａｎａｋｏ．Ｙａｎｏ」は赤色印刷される。また、検索辞典指定キー４４▲１▼〜４４▲６▼の各ケース面エリア▲１▼ｂ，▲２▼ｂ，▲４▼ｂ，▲５▼ｂ，▲６▼ｂは赤色の発色樹脂で構成されているので、その辞典名「ＩＴ英和辞典」，「カタカナ辞典」，「四字熟語」（太字），「広＊苑分野別」「電卓」は何れも赤色印刷される。さらに、文字・記号入力キー群４４ａの各ケース面エリアＬ１−１Ｒ，Ｌ１−２Ｒは赤色の発色樹脂で構成されているので、その機能名（辞典名）「独話」，「和独」は何れも赤色印刷され、当該各ケース面エリアＬ１−１Ｒ，Ｌ１−２Ｒの下線エリアＬ１−Ｙは黄色の発色樹脂で構成されているので、同機能名（辞典名）「独話」，「和独」を文字修飾する下線は黄色印刷される。さらに、文字・記号入力キー群４４ａの各ケース面エリアＬ１−７Ｂ，Ｌ１−９Ｂ，Ｌ２−８Ｂ，Ｌ２−９Ｂ，Ｌ３−６Ｂ，Ｌ３−１０Ｂは青色の発色樹脂で構成されているので、その機能名や特殊文字「Ｕ（ウムラウト）」，「Ｏ（ウムラウト）」，「？」，「〜」，「β」，「設定」は何れも青色印刷される。
【０１６６】
続いて、この第１製造工程３０Ｌ１に移動中の製造対象の大画面音声付き電子辞典４０Ｃのキー入力ケース部４１に対して、前記顧客ＩＤ１２ｅ２を対応付けた製品データ１２Ｅにおけるレーザ印刷データ１２ｅ４のキー印刷データ（２）Ｍｋｅｙにより、図１９に示すように、レーザマーキングによる一筆書きでのキー印刷が施される（ステップＨ２）。
【０１６７】
つまり、キー入力ケース部４１における検索辞典指定キー４４▲１▼〜４４▲６▼の各キートップエリア▲１▼ａ，▲２▼ａ，▲３▼ａ，▲４▼ａ，▲５▼ａ，▲６▼ａの印刷位置に対して、「グロ＊バル英和」（下線），「グ＊ンド英和」，「リ＊ダーズ和英」，「漢＊林」（囲み枠），「広＊苑」（斜体＋下線），「メニュー」のレーザマーキング印刷が行われる。
【０１６８】
この場合、検索辞典指定キー４４▲１▼〜４４▲６▼の各キートップエリア▲１▼ａ，▲２▼ａ，▲３▼ａ，▲４▼ａ，▲５▼ａ，▲６▼ａそれぞれの囲み枠エリア▲１▼ａＲ〜▲６▼ａＲは何れも赤色の発色樹脂で構成されているので、キートップエリア▲１▼ａ，▲５▼ａにレーザ印刷された辞典名「グロ＊バル英和」，「広＊苑」を文字修飾する下線、およびキートップエリア▲４▼ａにレーザ印刷された辞典名「漢＊林」を文字修飾する囲み枠は、何れも赤色印刷される。
【０１６９】
こうして、前記第１製造工程（キーボードレーザ印刷工程）３０Ｌ１においてキー入力ケース部４１に対する多色レーザマーキングによるケース印刷（Ｍｃａｓｅ）およびキー印刷（Ｍｋｅｙ）の施された大画面音声付き電子辞典４０Ｃは、第２製造工程（ＲＯＭ書き込み工程）３０Ｌ２に送られる。
【０１７０】
すると、この第２製造工程（ＲＯＭ書き込み工程）３０Ｌ２に送られた大画面音声付き電子辞典４０Ｂの本体内蔵ＲＯＭに対して、当該製品ＩＤ１２ｅ１，顧客ＩＤ１２ｅ２をはじめ、これに対応付けられた製品データメモリ１２Ｅに、図７で示したように記憶されているキー入力処理データ、辞典データベースからなるＲＯＭ書き込みデータ１２ｅ３の書き込みが行われる（ステップＨ３）。
【０１７１】
こうして、前記顧客ユーザの購入情報（１２Ｂ）に基づいて当該ユーザ所望の辞典内容を収録し且つキー配列を施し、これに応じた処理プログラムを書き込んだ所望ハードの電子辞典４０Ｂが製造作成されると、この製造された電子辞典４０Ｂは第３製造工程（発送工程）３０Ｌ３に送られる。
【０１７２】
すると、この第３製造工程（発送工程）３０Ｌ３に送られた電子辞典４０Ｃの本体ＲＯＭから読み出された顧客ＩＤに対応付けられてサーバ１０内の顧客情報メモリ１２Ｃに記憶されている「ユーザ氏名・住所」が読み出され、当該電子辞典４０Ｃの梱包と共に同「ユーザ氏名・住所」の送り状が添付される（ステップＨ４）。そして、当該電子辞典４０Ｃの発注元である送り状の宛先への発送が指示される（ステップＨ５）。
【０１７３】
これにより、電子辞典のハードウエア及びこれに収録される各辞典内容、各辞典指定のためのキー配列とその印刷配色について、ユーザの希望通りに製造作成された電子辞典がユーザ宅へ配達される。
【０１７４】
こうして、各顧客対応の電子辞典生産指令処理（ステップＢＨ）が終了すると、製造サーバ１０では、受注された購入辞典の見積価格とユーザクレジット情報に基づき、当該購入ユーザに対する課金処理が行われる（ステップＢ４）。
【０１７５】
したがって、前記構成の電子辞典受注生産システムによれば、ユーザ端末２０から製造サーバ１０へのアクセスにより当該端末２０へ表示させた辞典選択画面Ｇ２に応じてユーザ希望の辞典名が選択されて受信されると共に、同端末２０へ表示させた標準（推奨）キーボード・メニュー画面Ｇ３あるいは該標準からの変更を要する修正キーボード・メニュー画面Ｇ４に応じてキー入力パネル４４上での名入れデータとその印刷色および各検索辞典指定キー４４▲１▼〜４４▲６▼，文字・記号入力キー群４０ａ，「機能／ｃｏｄｅ」キー４４ｓにより各辞典や機能，特殊文字入力を指定するためのキー配列が入力選択されて受信される。すると、顧客ＩＤに対応付けて、ユーザ選択された辞典名に対応する辞典データベースが用意され、また選択されたキー配列に対応して各検索辞典指定キー４４▲１▼〜４４▲６▼，文字・記号入力キー群４０ａ，「機能／ｃｏｄｅ」キー４４ｓによって希望の辞典データや機能設定，特殊文字入力を機能させるためのキー入力処理データが作成されると共に、キー入力パネル４４上の各位置においてレーザマーキングによる発色樹脂で構成された名入れエリア▲１▼〜▲４▼，各検索辞典指定キー４４▲１▼〜４４▲６▼のキートップエリア▲１▼ａ〜▲６▼ａ，ケース面エリア▲１▼ｂ〜▲６▼ｂ及び文字・記号入力キー群４４ａのケース面エリアＬ１−１〜Ｌ３−１０に名入れデータ，各辞典名，機能名，特殊文字を多色印刷するための印刷データが生成される。
【０１７６】
すると、電子辞典メーカファクトリＦＡにおける第１製造工程３０Ｌ１の電子辞典４０Ｃに対しては、製品ＩＤ／顧客ＩＤに対応付けられて前記生成された印刷データに基づき、それぞれ発色樹脂で構成された名入れエリア▲１▼〜▲４▼，キートップエリア▲１▼ａ〜▲６▼ａおよびケース面エリア▲１▼ｂ〜▲６▼ｂ，Ｌ１−１〜Ｌ３−１０に対する名入れデータ，各辞典名，機能名，特殊文字のレーザ印刷が指示される。そして、第２製造工程３０Ｌ２の電子辞典４０Ｂに対しては、製品ＩＤ・顧客ＩＤと共に、前記選択された辞典名に対応する辞典データベースおよび選択されたキー配列に従ったキー入力処理データのＲＯＭ書き込みが指示される。そして、第３製造工程３０Ｌ３の電子辞典４０Ａに対しては、顧客ＩＤに対応付けられた顧客情報（１２Ｃ）に基づき「氏名・住所」の送り状の添付および発送が指示され、ユーザ所望の電子辞典が製造・配送される。
【０１７７】
これにより、電子辞典に対してユーザ希望の辞典データベースを収録するだけでなく、希望の名入れデータとキー配列に応じて多色でのキー印刷およびケース面印刷を行うと共に、当該キー配列に応じて各辞典や機能，特殊文字入力を指定するためのキー入力処理データを生成してＲＯＭに書き込んでなる電子辞典を自動的に製造し納品することができる。
【０１７８】
この場合、電子機器４０におけるキー入力ケース部４１の名入れエリア▲１▼〜▲４▼は、それぞれエリア▲１▼が金色、エリア▲２▼が銀色、エリア▲３▼が赤色、エリア▲４▼が青色にレーザマーキングによって発色する樹脂により構成されており、前記修正キーボード・メニュー画面Ｇ４に応じて所望の色に発色する名入れエリア▲１▼（金），▲３▼（赤）を選択するのと共に、所望の名入れデータ「＊＊＊＊ｕｎｉｖｅｒｓｉｔｙ」「Ｈａｎａｋｏ．Ｙａｎｏ」を入力しておくことで、当該キー入力パネル４４上の名入れエリア▲１▼，▲３▼の位置に対応付けた印刷データ「＊＊＊＊ｕｎｉｖｅｒｓｉｔｙ」「Ｈａｎａｋｏ．Ｙａｎｏ」が生成され、第１製造工程３０Ｌ１におけるレーザマーキングによって多色印刷されるので、電子辞典４０の本体表面に印刷する文字データやその印刷色までも、個々のユーザの希望通りに容易に製造することができる。
【０１７９】
また、キー入力パネル４４における文字・記号入力キー群４４ａの各ケース面左エリアＬ１−１Ｒ〜Ｌ３−１０Ｒが赤色、各ケース面右エリアＬ１−１Ｂ〜Ｌ３−１０Ｂが青色にレーザマーキングによって発色する樹脂により構成されており、前記修正キーボード・メニュー画面Ｇ４に応じてそのケース面左エリアＬ１−１Ｒ〜Ｌ３−１０Ｒには「機能／ｃｏｄｅ」キー４４ｓとの同時押しにより機能する機能名（含む辞典名）を選択し、ケース面右エリアＬ１−１Ｂ〜Ｌ３−１０Ｂには同「機能／ｃｏｄｅ」キー４４ｓとの同時押しにより入力する特殊文字を選択しておくことで、当該各ケース面エリアＬ１−１Ｒ〜Ｌ３−１０Ｒ，Ｌ１−１Ｂ〜Ｌ３−１０Ｂの位置に対応付けた機能名（含む辞典名）や特殊文字の印刷データがその識別子（機能／文字）に応じて判別生成され、第１製造工程３０Ｌ１におけるレーザマーキングによって各機能名（含む辞典名）は選択された左エリアＬ１−１Ｒ〜Ｌ３−１０Ｒに赤色印刷され、各特殊文字は選択された右エリアＬ１−１Ｂ〜Ｌ３−１０Ｂに青色印刷されるので、「機能／ｃｏｄｅ」キー４４ｓとの同時押しによって機能または入力となる隣接エリアの機能名と特殊文字をも別々の印刷色として個々のユーザの希望通りの電子辞典４０を容易に製造することができる。
【０１８０】
また、ユーザ選択された辞典や機能，特殊文字入力のキー配列に応じた印刷データを生成しキー印刷およびケース印刷を行うだけでなく、そのキー印刷，ケース印刷の内容に対応したキー入力処理を行わせるためのキー入力処理テーブル（図７参照）を生成し、ＲＯＭ書き込みデータ１２ｅ３としてユーザ発注の電子辞典４０へのプログラムの書き込みを行うので、ユーザ希望のキー配列に応じて機能する電子辞典４０を容易に製造することができる。
【０１８１】
また、前記構成の電子辞典受注生産システムによれば、検索辞典指定キー４４▲１▼，４４▲２▼，４４▲４▼，４４▲５▼に対応させた各ケース面エリア▲１▼ｂ，▲２▼ｂ，▲４▼ｂ，▲５▼ｂに渡って連続する１本の下線エリアＬ０−Ｙ、および前記各文字・記号入力キー４４ａ…に対応させた各ケース面エリアＬ１−１Ｒ，Ｌ１−１Ｂ，〜，Ｌ３−１０Ｒ，Ｌ３−１０Ｂに渡って連続する３本の下線エリアＬ１−Ｙ〜Ｌ３−Ｙは、何れもレーザ印刷に応じて黄色に発色する樹脂で構成されると共に、また、前記各検索辞典指定キー４４▲１▼〜４４▲６▼それぞれの各キートップの囲み枠エリア▲１▼ａＲ〜▲６▼ａＲは、レーザ印刷に応じて赤色に発色する樹脂で構成され、前記修正キーボード・メニュー画面Ｇ４に応じた各辞典や機能，特殊文字入力のキー配列の選択に伴い当該配列すべき辞典名や機能名に下線や囲み枠などの文字修飾を指定することで、ユーザ所望のキー配列に対応した辞典名や機能名が多色で印刷表記され、しかもその任意指定の文字修飾に応じた下線や囲み枠などが異なる配色で印刷表記されるので、よりユーザの希望に沿ったキー配列および配色からなる電子辞典４０を容易に製造することができる。
【０１８２】
また、前記構成の電子辞典受注生産システムによれば、第１製造工程（キーボードレーザ印刷工程）３０Ｌ１、第２製造工程（ＲＯＭ書き込み工程）３０Ｌ２を終えた第３製造工程（発送工程）３０Ｌ３では、ユーザ入力されて製造サーバ１０に受信記憶された顧客情報（１２Ｃ）の「氏名・住所」が送り状として製造対象の電子辞書４０に添付され発送されるので、容易且つ確実に顧客対応電子辞典の製造，発送処理を行うことができる。
【０１８３】
なお、前記実施形態において、キー入力パネル４４に対し黄色の発色樹脂として構成された下線エリアＬ０−Ｙ〜ｌ３−Ｙには、さらに他の色で発色する樹脂により構成された他の下線エリアを複数並列に設けることで、よりユーザの希望に沿った色の下線によって辞典名や機能名を明解に印刷表記した電子辞典４０を製造することができる。
【０１８４】
また、前記実施形態では、キー入力パネル４４上でレーザマーキングにより発色する印刷エリアとして構成した名入れエリア▲１▼〜▲４▼、キートップエリア▲１▼ａ〜▲６▼ａおよびケース面エリア▲１▼ｂ〜▲６▼ｂ，Ｌ１−１Ｒ〜Ｌ３−１０Ｒ，Ｌ１−１Ｂ〜Ｌ３−１０Ｂは、それぞれ何れのエリアも金一色や赤一色，青一色など単色で発色する１種類の樹脂によって構成したが、例えば前記各印刷対象のエリア▲１▼〜▲４▼，▲１▼ａ〜▲６▼ａ，▲１▼ｂ〜▲６▼ｂ，Ｌ１−１Ｒ〜Ｌ３−１０Ｒ，Ｌ１−１Ｂ〜Ｌ３−１０Ｂを、図２０（Ａ１）（Ｂ１）に示すように、異なる色である緑ｇと赤ｒの発色樹脂をライン状に交互に並列配置して構成し、当該エリアにキー印刷あるいはケース印刷する際に、図２０（Ａ２）に示すように、緑ｇの発色樹脂に対応する位置にレーザ印刷するか、または図２０（Ｂ２）に示すように、赤ｒの発色樹脂に対応する位置にレーザ印刷するかを指定の印刷色に応じて選択することで、同一のエリアで複数の印刷色を選択できる構成としてもよい。
【０１８５】
さらには、前記各印刷対象のエリア▲１▼〜▲４▼，▲１▼ａ〜▲６▼ａ，▲１▼ｂ〜▲６▼ｂ，Ｌ１−１Ｒ〜Ｌ３−１０Ｒ，Ｌ１−１Ｂ〜Ｌ３−１０Ｂを、図２０（Ｃ１）に示すように、赤ｒ，緑ｇ，黄色ｙの３原色の発色樹脂を格子状にドット配置して構成し、当該エリアにキー印刷あるいはケース印刷する際に、所望の色に応じて３原色ｒ，ｇ，ｙを組み合わせた各発色樹脂に対応する位置にレーザ印刷することで、例えば図２０（Ｃ２）に示すように、同一のエリアで複数の印刷色を組み合わせユーザ所望のカラーパターンで写真印刷できる構成としてもよい。
【０１８６】
図２０は前記電子辞典受注生産システムにおいてユーザ選択された多色のキーボード印刷を行うための発色樹脂の配置構成例および印刷例を示す図である。
【０１８７】
なお、前記実施形態では、電子辞典メーカファクトリＦＡに設置した製造サーバ１０において、ユーザ端末２０からの電子辞典のハード種類，辞典内容，キー配列などの希望内容を受信し、キー印刷およびケース印刷データを生成すると共に、これに対応するキー入力処理データおよび辞典データベースなどのＲＯＭ書き込みデータ１２ｅ３を生成し、さらに、これに基づき第１〜第３製造工程３０Ｌ１〜３０Ｌ３において、ユーザ選択電子辞典ハードを対象としたレーザマーキング印刷の指示、ＲＯＭデータ書き込みの指示、および配送先添付・発送の指示までも行う構成としたが、ユーザ端末２０からの受注用のサーバと各製造工程３０Ｌ１〜３０Ｌ３に対する製造・配送指示用のサーバとを別々に設ける構成としてもよい。
【０１８８】
また、前記実施形態では、受注生産の対象を電子辞典とし、英和辞典，和英辞典，国語辞典，漢和辞典など、所謂言葉の辞典を主に収録した電子機器を製造するものとして説明したが、収録すべきデータの内容としてはこれに限らず、百科事典，英会話集，英文小説，教科書など、何れのデータベースも何らかの文字列の検索・表示を行う辞典の一種として如何なるデータを対象としてもよい。
【０１８９】
なお、前記実施形態において記載した電子辞典受注生産システムにおける製造サーバ１０やユーザ端末２０による各処理の手法、すなわち、図８（Ａ）のフローチャートに示すユーザ端末処理、図８（Ｂ）のフローチャートに示す製造サーバ処理、図９（Ａ）のフローチャートに示すユーザ端末処理に伴うカスタマイズ選択処理、図９（Ｂ）のフローチャートに示す製造サーバ処理に伴うカスタマイズ選択処理、図１０のフローチャートに示す製造サーバ処理でのカスタマイズ選択処理に伴うケース印刷データ作成処理、図１１のフローチャートに示す製造サーバ処理でのカスタマイズ選択処理に伴うキー印刷データ作成処理、図１６のフローチャートに示す製造サーバ処理に伴う各顧客対応の電子辞典生産指令処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、通信ネットワーク（インターネット）Ｎとの通信機能を備えた種々のコンピュータ端末は、この外部記録媒体１３に記憶されたプログラムを記録媒体読取部１４によってメモリ１２に読み込み、この読み込んだプログラムによって動作が制御されることにより、前記実施形態において説明した電子辞典受注生産機能を実現し、前述した手法による同様の処理を実行することができる。
【０１９０】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した電子辞典受注生産機能を実現することもできる。
【０１９１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１９２】
【発明の効果】
以上のように、本発明の請求項１に係る電子機器の製造システム（製造処理プログラム）（製造処理方法）によれば、印刷によって異なる色に発色する複数の発色エリアを有した電子機器の当該複数の発色エリアそれぞれの位置情報を当該発色の色情報に対応付けて位置記憶手段によって記憶し、印刷すべき色情報と印刷データを印刷情報取得手段によって取得する。すると、この印刷情報取得手段により取得された色情報に対応付けられて前記位置記憶手段により記憶された位置情報に従い当該位置情報が示す電子機器の発色エリアに対し印刷制御手段によって前記印刷データが印刷させられる。これにより、例えばユーザにより指定された色情報と入力された印刷データを取得するだけで、ユーザ指定の色でユーザ所望の印刷データを印刷した電子機器を製造できるようになる。
【０１９３】
また、本発明の請求項２に係る電子機器の製造システムによれば、前記請求項１に係る電子機器の製造システムにあって、前記印刷情報取得手段は、ユーザ端末から印刷すべき色情報と印刷データを受信する受信手段を有してなる。これにより、例えばインターネットなどの通信ネットワークを介して、ユーザ入力された印刷データをユーザ指定の色で印刷した電子機器を容易に製造できるようになる。
【０１９４】
また、本発明の請求項３に係る電子機器の製造システムによれば、前記請求項１または請求項２に係る電子機器の製造システムにあって、前記電子機器の複数の発色エリアはレーザによってそれぞれ異なる色に発色する発色部材によって構成され、前記印刷制御手段は、前記印刷情報取得手段により取得された色情報に対応付けられて前記位置記憶手段により記憶された位置情報に従い当該位置情報が示す電子機器の発色エリアの発色部材に対して前記印刷データをレーザ印刷するレーザ印刷手段を有してなる。これにより、例えばユーザ指定の色情報に対応付けられた位置情報が示す発色部材の発色エリアに対し、例えばユーザ入力された印刷データをレーザ印刷するだけで、簡単にユーザ所望の色の印刷データを付加した電子機器を製造できるようになる。
【０１９５】
また、本発明の請求項４に係る電子機器の製造システムによれば、前記請求項１乃至請求項３の何れか１項に係る電子機器の製造システムにあって、前記異なる色に発色する複数の発色エリアは、色毎に分かれた領域の発色エリアとされる。これにより、電子機器上に複数の領域に分かれて配置されたそれぞれ異なる色に発色する発色エリアを対象に、その何れかの発色エリアが例えばユーザ指定の色に応じて位置決めされて発色印刷されることになり、ユーザ指定の色でユーザ所望の印刷データを印刷した電子機器を容易に製造できるようになる。
【０１９６】
また、本発明の請求項５に係る電子機器の製造システムによれば、前記請求項１乃至請求項３の何れか１項に係る電子機器の製造システムにあって、前記異なる色に発色する複数の発色エリアは、異なる色の発色部材をライン状に交互に並列配置して構成され、前記印刷制御手段は、前記印刷情報取得手段により取得された色情報に対応付けられて前記位置記憶手段により記憶された位置情報に従い当該位置情報が示す電子機器の発色エリアの該当色の発色ラインを選択して前記印刷データを印刷させる。これにより、電子機器上にライン状に交互に並列配置されたそれぞれ異なる色の発色ラインを選択対象として、その何れかの発色ラインが例えばユーザ指定の色に応じて選択され発色印刷されることになり、ユーザ指定の色でユーザ所望の印刷データを印刷した電子機器を容易に製造できるようになる。
【０１９７】
また、本発明の請求項６に係る電子機器の製造システムによれば、前記請求項１乃至請求項３の何れか１項に係る電子機器の製造システムにあって、前記異なる色に発色する複数の発色エリアは、３原色の発色部材を格子状にドット配置して構成され、前記印刷制御手段は、前記印刷情報取得手段により取得された色情報に対応付けられて前記位置記憶手段により記憶された位置情報に従い当該位置情報が示す電子機器の発色エリアの該当色に応じた組み合わせの発色ドットを選択して前記印刷データをカラー印刷させる。これにより、電子機器上に格子状にドット配置された３原色の発色ドットを選択対象として、その各発色ドットが例えばユーザ指定の色に応じた組み合わせで選択されカラー印刷されることになり、ユーザ指定の色でユーザ所望のカラー印刷データを印刷した電子機器を容易に製造できるようになる。
【０１９８】
また、本発明の請求項７に係る電子機器の製造システム（製造処理プログラム）（製造処理方法）によれば、印刷によって異なる色に発色する複数の発色エリアを有した電子機器の当該複数の発色エリアそれぞれの位置情報を印刷データの種類に対応付けて位置記憶手段によって記憶し、印刷すべき印刷データを印刷データ取得手段によって取得する。すると、この印刷データ取得手段により取得された印刷データが、当該印刷データの種類に対応付けられて前記位置記憶手段により記憶された位置情報に従い当該位置情報が示す電子機器の発色エリアに対し印刷制御手段によって印刷させられる。これにより、印刷データを取得するだけで、当該印刷データの種類に応じた色の発色エリアが位置決めされ、当該印刷データをこれに応じた色で印刷した電子機器を製造できるようになる。
【０１９９】
また、本発明の請求項８に係る電子機器の製造システムによれば、印刷によって異なる色に発色する複数の発色エリアを有した電子機器の当該複数の発色エリアそれぞれの位置情報を当該電子機器の各キー情報および印刷データの種類に対応付けて位置記憶手段によって記憶し、印刷すべき印刷データと共に前記電子機器のキー情報を印刷データ取得手段によって取得する。すると、この印刷データ取得手段により取得された印刷データが、同取得されたキー情報および印刷データの種類に対応付けられて前記位置記憶手段により記憶された位置情報に従い当該位置情報が示す電子機器の発色エリアに対し印刷制御手段によって印刷させられる。これにより、印刷データと共に電子機器のキー情報を取得するだけで、当該キー情報および印刷データの種類に応じた色の発色エリアが位置決めされ、当該印刷データをこれに応じたキー位置で且つこれに応じた色で印刷した電子機器を製造できるようになる。
【０２００】
また、本発明の請求項９に係る電子機器の製造システムによれば、前記請求項７または請求項８に係る電子機器の製造システムにあって、前記印刷データ取得手段は、その取得すべき内容をユーザ端末から受信する受信手段とされる。これにより、例えばインターネットなどの通信ネットワークを介して、ユーザ端末から取得された印刷データをこれに応じた色（およびキー位置）で印刷した電子機器を容易に製造できるようになる。
【０２０１】
また、本発明の請求項１０に係る電子機器の製造システムによれば、前記請求項７乃至請求項９の何れか１項に係る電子機器の製造システムにあって、前記電子機器の複数の発色エリアはレーザによってそれぞれ異なる色に発色する発色部材によって構成され、前記印刷制御手段は、前記位置記憶手段により記憶された位置情報に従い当該位置情報が示す電子機器の発色エリアの発色部材に対してレーザ印刷するレーザ印刷手段を有してなる。これにより、印刷データの種類（およびキー情報）に対応付けられた位置情報が示す発色部材の発色エリアが位置決めされ、当該印刷データをレーザ印刷するだけで、これに応じた色（およびキー位置）で印刷データを印刷した電子機器を容易に製造できるようになる。
【０２０２】
また、本発明の請求項１１に係る電子機器の製造システムによれば、前記請求項１０に係る電子機器の製造システムにあって、前記印刷データの種類は、当該印刷データが機能を示す印刷データか文字の印刷データかの種類であり、前記発色エリアは、その左エリアが機能用の色で発色する発色部材によって構成され、右エリアが文字用の色で発色する発色部材によって構成される。これにより、印刷データの種類が機能を示す印刷データである場合には位置決めされた発色エリアの左エリアに機能表記用の色で印刷でき、文字である場合には同位置決めされた発色エリアの右エリアに文字表記用の色で印刷できることになり、例えばキー入力対象の表記内容によって色別表記した電子機器を容易に製造できるようになる。
【０２０３】
また、本発明の請求項１２に係る電子機器の製造システムによれば、前記請求項７乃至請求項１１の何れか１項に記載の電子機器の製造システムにあって、前記電子機器の複数の発色エリアそれぞれの位置情報は当該電子機器の各キー位置に対応したものとし、前記印刷データ取得手段により取得された印刷データに応じた処理をその印刷位置に対応したキーに基づき行わせるためのプログラムを、前記電子機器の内蔵ＲＯＭへ書き込ませるＲＯＭ書き込み制御手段をさらに備える。これにより、印刷データをその種類に応じたキー位置の発色エリアに印刷させ、しかも当該キー操作によって当該印刷データに応じた処理を行うプログラムをＲＯＭに書き込むので、例えばユーザ選択したキー配列で動作する電子機器を容易に製造できるようになる。
【０２０４】
また、本発明の請求項１３に係る電子機器の製造システムによれば、前記請求項７乃至請求項１２の何れか１項に係る電子機器の製造システムにあって、前記電子機器の発色エリアは、その周辺にさらに別の色で発色する周辺発色エリアを有し、前記印刷制御手段は、前記印刷データ取得手段により取得された印刷データに修飾情報が含まれている場合に、当該印刷データを前記位置記憶手段により記憶された位置情報に従い当該位置情報が示す電子機器の発色エリアおよびその周辺発色エリアに対し印刷させる。これにより、印刷データに応じて位置決めされた発色エリアに対し、当該印刷データをこれに応じた色で印刷できるだけでなく、周辺発色エリアによって異なる色で前記印刷データを修飾印刷した電子機器を容易に製造できるようになる。
【０２０５】
また、本発明の請求項１４に係る電子機器の製造システムによれば、前記請求項１３に係る電子機器の製造システムにあって、前記印刷データに含まれる修飾情報は、当該印刷データに対する下線または囲み枠の修飾情報とされる。これにより、印刷データに応じて位置決めされた発色エリアに対し、当該印刷データをこれに応じた色で印刷できるだけでなく、周辺発色エリアによって異なる色で前記印刷データを下線または囲み枠で修飾印刷した電子機器を容易に製造できるようになる。
【０２０６】
また、本発明の請求項１５に係る電子機器の製造システムによれば、前記請求項１３または請求項１４に係る電子機器の製造システムにあって、前記周辺発色エリアは、異なる色の発色部材をライン状に並列配置して構成され、前記印刷制御手段により、前記修飾情報が含まれている印刷データを前記位置記憶手段により記憶された位置情報に従い当該位置情報が示す電子機器の発色エリアおよびその周辺発色エリアに対し印刷させる際は、当該周辺発色エリアの発色ラインを選択して印刷させる。これにより、印刷データをこれに応じた発色エリアの色で印刷できるだけでなく、周辺発色エリアの異なる色の発色ラインを選択して該印刷データを修飾印刷した電子機器を容易に製造できるようになる。
【０２０７】
また、本発明の請求項１６に係る電子機器の製造システムによれば、前記請求項１乃至請求項１５の何れか１項に係る電子機器の製造システムにあって、さらに、送り先受信手段によってユーザ端末から送り先を受信し、この受信された送り先に従って前記電子機器の製造後の送り先を送り先指示手段で指示する。これにより、例えばユーザの希望に応じて印刷データを多色印刷した電子機器を容易に製造できるだけでなく、製造後の電子機器の確実な顧客発送までも実施できるようになる。
【０２０８】
よって、本発明によれば、機器本体に表記すべき文字や記号などを容易にユーザ個々人の発注内容に応じた色にして製造することが可能になる電子機器の製造システム、製造処理プログラム、製造処理方法を提供できる。
【図面の簡単な説明】
【図１】本発明の電子機器の製造システムの実施形態に係る製造サーバ１０に基づいた電子辞典受注生産システムの全体の構成を示す図。
【図２】前記電子機器の製造サーバ１０に基づいて受注生産されるキーボードレーザ印刷前のベースモデル電子辞典４０の外観構成を示す正面図。
【図３】前記電子機器の製造サーバ１０に基づいて受注生産されるキーボードレーザ印刷後のベースモデル電子辞典４０の外観構成を示す正面図。
【図４】前記電子辞典受注生産システムにおける製造サーバ１０の電子回路の構成を示すブロック図。
【図５】前記製造サーバ１０のベースモデルメモリ１２Ｄに記憶される大画面音声付き電子辞典用の印刷位置テーブル１２ｄ１のデータ内容を示す図。
【図６】前記製造サーバ１０のベースモデルメモリ１２Ｄに記憶されるキーボード印刷内容テーブル１２ｄ２のデータ内容を示す図。
【図７】前記製造サーバ１０の製品データメモリ１２Ｅに記憶されるＲＯＭ書き込みデータ１２ｅ３のデータ内容を示す図。
【図８】前記電子辞典受注生産システムにおける受注生産全体処理を示すフローチャートであり、同図（Ａ）はそのユーザ端末処理を示すフローチャート、同図（Ｂ）はその製造サーバ処理を示すフローチャート。
【図９】前記電子辞典受注生産システムのユーザ端末処理及び製造サーバ処理に伴うカスタマイズ選択処理を示すフローチャートであり、同図（Ａ）はユーザ端末２０側でのカスタマイズ選択処理を示すフローチャート、同図（Ｂ）は製造サーバ１０側でのカスタマイズ選択処理を示すフローチャート。
【図１０】前記製造サーバ１０でのカスタマイズ選択処理に伴うレーザマーキング印刷データ（ケース印刷データ）の作成処理を示すフローチャート。
【図１１】前記製造サーバ１０でのカスタマイズ選択処理に伴うレーザマーキング印刷データ（キー印刷データ）の作成処理を示すフローチャート。
【図１２】前記電子辞典受注生産システムの製造サーバ１０により開設されているカスタマイズ辞典ＨＰ画面Ｇ１（同図（Ａ））およびこのカスタマイズ辞典ＨＰ画面Ｇ１に従いユーザ端末２０へ提供表示される辞典選択画面Ｇ２（同図（Ｂ））を示す図。
【図１３】前記電子辞典受注生産システムでのカスタマイズ選択処理に伴いユーザ端末２０へ提供表示される選択された辞典に応じた標準キーボード・メニュー画面Ｇ３を示す図。
【図１４】前記電子辞典受注生産システムでのカスタマイズ選択処理に伴いユーザ端末２０へ提供表示される標準からの変更を要する修正キーボード・メニュー画面Ｇ４を示す図。
【図１５】前記電子辞典受注生産システムでのカスタマイズ選択処理に伴いユーザ端末２０へ提供表示されるカスタマイズ辞典の作成依頼画面Ｇ５を示す図。
【図１６】前記電子辞典受注生産システムのメーカファクトリＦＡにおける製造サーバ１０による各顧客対応の電子辞典生産指令処理を示すフローチャート。
【図１７】前記電子辞典受注生産システムのメーカファクトリＦＡにおける「大画面音声付き」電子辞典４０に対するキー印刷・ケース印刷前のキー入力ケース部４１を示す図。
【図１８】前記電子辞典受注生産システムのメーカファクトリＦＡにおける「大画面音声付き」電子辞典４０のキー入力ケース部４１に対するケース印刷状態を示す図。
【図１９】前記電子辞典受注生産システムのメーカファクトリＦＡにおける「大画面音声付き」電子辞典４０のキー入力ケース部４１に対するキー印刷状態を示す図。
【図２０】前記電子辞典受注生産システムにおいてユーザ選択された多色のキーボード印刷を行うための発色樹脂の配置構成例および印刷パターン例を示す図。
【符号の説明】
１０  …製造サーバ
１１  …ＣＰＵ（ｃｅｎｔｒａｌ  ｐｒｏｃｅｓｓｉｎｇ  ｕｎｉｔ）
１２  …メモリ
１２Ａ…プログラムメモリ
１２ａ…製造サーバ処理プログラム
１２Ｂ…購入情報メモリ
１２ｂ１、１２ｅ１…製品ＩＤ
１２ｂ２、１２ｃ１、１２ｅ２…顧客ＩＤ
１２ｂ３…電子辞典ハードの種類
１２ｂ４…辞典ソフト名
１２ｂ５…キー配列変更の有無と配列内容
１２ｂ６…メニュー内辞典変更の有無と配列内容
１２ｂ７…名入れ色と名入れデータ
１２Ｃ…顧客情報メモリ
１２ｃ２…氏名
１２ｃ３…住所
１２ｃ４…クレジットカード番号
１２Ｄ…ベースモデルメモリ
１２ｄ１…印刷位置テーブル
１２ｄ２…印刷内容テーブル
１２Ｅ…製品データメモリ
１２ｅ３…ＲＯＭ書き込みデータ
１２ｅ４…レーザ印刷データ
１３  …外部記録媒体
１４  …記録媒体読取部
１５  …電送制御部
１６  …入力部
１７  …表示部
２０  …ユーザ端末（ＰＣ）
３０Ｌ１…第１製造工程（キーボードレーザ印刷工程）
３０Ｌ２…第２製造工程（ＲＯＭ書き込み工程）
３０Ｌ３…第３製造工程（発送工程）
４０Ａ〜４０Ｃ…電子辞典
４１  …キー入力ケース部
４２  …表示画面ケース部
４３  …ヒンジ部
４４  …キー入力パネル
４４ａ…文字・記号入力キー群
４４ｂ…検索内容切替指定キー群
４４ｃ…選択／決定機能キー群
４４ｓ…「機能／ｃｏｄｅ」キー
４４▲１▼〜４４▲６▼…検索辞典指定キー
▲１▼ａ〜▲６▼ａ…キートップエリア（ダイレクト操作で機能）
▲１▼ａＲ〜▲６▼ａＲ…囲み枠エリア
▲１▼ｂ〜▲６▼ｂ、Ｌ１−１Ｒ〜Ｌ３−１０Ｒ、Ｌ１−１Ｂ〜Ｌ３−１０Ｂ…ケース面エリア（シフト「機能／ｃｏｄｅ」同時操作で機能）
Ｌ０−Ｙ〜Ｌ３−Ｙ…下線エリア
▲１▼〜▲４▼…名入れエリア
４５  …液晶表示画面
Ｎ  …通信ネットワーク（インターネット）
ＦＡ  …電子辞典メーカファクトリ
Ｇ１  …カスタマイズ辞典ＨＰ画面
Ｇ２  …辞典選択画面
Ｇ３  …標準キーボード・メニュー画面
Ｇ４  …修正キーボード・メニュー画面
Ｇ５  …カスタマイズ辞典の作成依頼画面
Ｍｃａｓｅ…ケース印刷データ
Ｍｋｅｙ…キー印刷データ
【図１】
2004355463.tif 000003
【図２】
2004355463.tif 000004
【図３】
2004355463.tif 000005
【図４】
2004355463.tif 000006
【図５】
2004355463.tif 000007
【図６】
2004355463.tif 000008
【図７】
2004355463.tif 000009
【図８】
2004355463.tif 000010
【図９】
2004355463.tif 000011
【図１０】
2004355463.tif 000012
【図１１】
2004355463.tif 000013
【図１２】
2004355463.tif 000014
【図１３】
2004355463.tif 000015
【図１４】
2004355463.tif 000016
【図１５】
2004355463.tif 000017
【図１６】
2004355463.tif 000018
【図１７】
2004355463.tif 000019
【図１８】
2004355463.tif 000020
【図１９】
2004355463.tif 000021
【図２０】
2004355463.tif 000022